(57)【要約】  【課題】電子データ化された情報を、実際の「本」からページをちぎってきてスクラップするように表現できる、電子情報編集装置を提供する。  【解決手段】少なくとも文字または画像を含む電子データ化された情報１２をページ単位で使用者が見る画面上に表示する表示手段２１と、表示情報１２を表示した状態で任意のページの端部の任意の位置をつまみ位置として設定するつまみ位置設定手段２３を備える。そして、つまみ位置が移動するに応じてつまんでいるページが使用者が見るとめくれているように表示させ、第１の所定のラインで、そのめくれているページをちぎれるように表示させる表示制御手段２７と、そのめくれたページの全部または一部を使用者がちぎり取った後、使用者がつまみ位置をさらに別の所定の場所に移動させ、その移動場所にそのちぎり取ったページを貼り付けるページ貼り付け手段２８を備える。【選択図】図１
2007058653.tif 000002
【特許請求の範囲】
【請求項１】
少なくとも文字または画像を含む電子データ化された情報がページ単位で使用者が見る画面上に表示されている状態で、任意のページの端部の任意の位置をつまみ位置として設定するつまみ位置設定ステップと、
前記つまみ位置が移動するに応じて前記ページが前記使用者が見るとめくれているように表示させ、第１の所定のラインで、前記めくれているページをちぎれるように表示させる表示制御ステップと、
前記めくれたページの全部または一部を前記使用者がちぎり取った後、前記使用者が前記つまみ位置をさらに別の所定の場所に移動させ、前記移動場所に前記ちぎり取ったページ片を貼り付けるページ片貼り付けステップとを備えた、電子情報編集方法。
【請求項２】
少なくとも文字または画像を含む電子データ化された情報をページ単位で使用者が見る画面上に表示し、前記表示情報を表示した状態で任意のページの端部の任意の位置をつまみ位置として設定するつまみ位置設定手段と、
前記つまみ位置が移動するに応じて前記ページが前記使用者が見るとめくれているように表示させ、第１の所定のラインで、前記めくれているページをちぎれるように表示させる表示制御手段と、
前記めくれたページの全部または一部を前記使用者がちぎり取った後、前記使用者が前記つまみ位置をさらに別の所定の場所に移動させ、前記移動場所に前記ちぎり取ったページ片を貼り付けるページ片貼り付け手段とを備えた、電子情報編集装置。
【請求項３】
前記表示制御手段は、
前記つまみ位置が移動した所定の位置に対応させて、前記つまみ位置の移動前の位置と移動後の位置と前記ページの形状データと材質データとに基づいて、前記ページがめくれているように表示させる際の、前記めくれたページの紙のめくれ具合から決まる第２の所定のラインを算出する、めくれライン算出手段と、
前記第１の所定のラインが前記第２の所定のラインと交差するか否かを検出する交差検出手段と、
前記第１の所定のラインと前記第２の所定のラインが交差したことを検出した際の、その交差点である境界交差点で、前記めくれたページの前記つまみ位置を含む側が前記つまみ位置を含まない側からちぎれるように表示する、ページちぎり表示手段とを有している、請求項２に記載の電子情報編集装置。
【請求項４】
前記第２の所定のラインは、前記めくれたページの紙が次の紙から離れる境界ラインである、請求項３に記載の電子情報編集装置。
【請求項５】
前記別の所定の場所において、前記ちぎり取られたページ片を、縮小または拡大して、複数のページ片を一画面中に配列できるように表示する貼り付け制御手段をさらに備えた、請求項２に記載の電子情報編集装置。
【請求項６】
前記情報の電子データの特定のファイルフォーマットとは異なるファイルフォーマットの電子データ化された他の情報のファイルを、前記特定のファイルフォーマットに変換するファイル形式変換手段をさらに備えた、請求項２に記載の電子情報編集装置。
【請求項７】
請求項１に記載の電子情報編集方法の、
任意のページの端部の任意の位置をつまみ位置として設定する前記つまみ位置設定ステップ、
前記つまみ位置が移動するに応じて前記ページが前記使用者が見るとめくれているように表示させ、第１の所定のラインで、前記めくれているページをちぎれるように表示させる前記表示制御ステップ、
前記めくれたページの全部または一部を前記使用者がちぎり取った後、前記使用者が前記つまみ位置をさらに別の所定の場所に移動させ、前記移動場所に前記ちぎり取ったページ片を貼り付ける前記ページ片貼り付けステップ、を実行するためにコンピュータを機能させるためのプログラム。
【請求項８】
請求項７に記載のプログラムを記録した記録媒体であって、コンピュータで利用可能な記録媒体。
【請求項９】
少なくとも文字または画像を含む電子データ化された情報を複数含むデータベースを少なくとも有するサーバーと、前記データベースへのアクセス権を有するユーザーのクライアント装置とを備え、請求項２に記載の電子情報編集装置を実現するプログラムおよびコンテンツが、前記サーバーおよび／または前記クライアント装置に用意されている電子情報編集提供システムであって、
前記サーバーの提供者は、前記データベース、前記プログラムおよび前記コンテンツへのアクセス権を前記ユーザーに許諾し、
前記ユーザーは、前記プログラムおよび前記コンテンツを使用して、インターネット経由で前記サーバーが含む複数の情報から使用する情報を選択し、前記使用する情報の任意のページの全部または一部をちぎり取り、ちぎり取った前記任意のページ片をユーザー専用の別の場所に移動して貼り付ける、電子情報編集提供システム。
【請求項１０】
少なくとも文字または画像を含む電子データ化された情報を複数含むデータベースを少なくとも有するサーバーと、前記データベースへのアクセス権を有するユーザーのクライアント装置とを備え、請求項２に記載の電子情報編集装置を実現するプログラムおよびコンテンツが、前記サーバーおよび／または前記クライアント装置に用意されている電子情報編集提供システムの編集提供方法であって、
前記サーバーの提供者により、前記データベース、前記プログラムおよび前記コンテンツへのアクセス権を前記ユーザーに許諾するアクセス権許諾ステップと、
前記ユーザーが、前記プログラムおよび前記コンテンツを使用して、インターネット経由で前記サーバーが含む複数の情報から使用する情報を選択する使用情報選択ステップと、
前記ユーザーが、前記使用する情報の任意のページの全部または一部をちぎり取り、ちぎり取った前記任意のページ片をユーザー専用の別の場所に移動して貼り付けるページ片貼り付けステップとを備えた、電子情報編集提供システムの編集提供方法。
【請求項１１】
少なくとも文字または画像を含む電子データ化された情報を複数含むデータベースを少なくとも有するサーバーと、前記データベースへのアクセス権を有する情報提供者の情報提供装置と、前記データベースへのアクセス権を有するユーザーのクライアント装置とを備え、請求項２に記載の電子情報編集装置を実現するプログラムおよびコンテンツが、前記サーバーおよび／または前記情報提供装置に用意され、さらに前記サーバーおよび／または前記クライアント装置に用意されている電子情報編集提供システムであって、
前記サーバーの提供者は、前記データベース、前記プログラムおよび前記コンテンツへのアクセス権を前記情報提供者および前記ユーザーに許諾し、
前記情報提供者は、前記プログラムおよび前記コンテンツを使用して、インターネット経由で前記サーバーが含む複数の情報から前記情報提供者が使用する情報を選択し、前記情報提供者が使用する情報の任意のページの全部または一部をちぎり取り、前記情報提供者が使用する情報の前記ちぎり取った任意のページ片を情報提供者専用の別の場所に移動して貼り付けることにより提供情報を作成し、
前記ユーザーは、前記提供情報を取得して表示させておき、前記プログラムおよび前記コンテンツを使用して、インターネット経由で前記サーバーが有する複数の情報から前記ユーザーが使用する情報を選択し、前記ユーザーが使用する情報の任意のページの全部または一部をちぎり取り、前記ユーザーが使用する情報の前記ちぎり取った任意のページ片を前記提供情報の位置に移動して前記提供情報に貼り付けて追加する、電子情報編集提供システム。
【請求項１２】
少なくとも文字または画像を含む電子データ化された情報を複数含むデータベースを少なくとも有する第１のサーバーと、前記データベースへのアクセス権を有する情報提供者の情報提供装置と、前記情報提供者が作成した提供情報を格納する第２のサーバーと、前記提供情報へのアクセス権を有するユーザーのクライアント装置とを備え、請求項２に記載の電子情報編集装置を実現するプログラムおよびコンテンツが、前記第１のサーバーおよび／または前記情報提供装置に用意され、さらに前記第２のサーバーおよび／または前記クライアント装置に用意されている電子情報編集提供システムであって、
前記第１のサーバーの提供者は、前記データベース、前記プログラムおよび前記コンテンツへのアクセス権を前記情報提供者に許諾し、
前記情報提供者は、前記プログラムおよび前記コンテンツを使用して、インターネット経由で前記第１のサーバーが含む複数の情報から使用する情報を選択し、前記使用する情報の任意のページの全部または一部をちぎり取り、ちぎり取った前記使用する情報の任意のページ片を情報提供者専用の別の場所に移動して貼り付けることにより複数の前記提供情報を作成し、作成した前記複数の提供情報を前記第２のサーバーに格納し、前記複数の提供情報、前記プログラムおよび前記コンテンツへのアクセス権を前記ユーザーに許諾し、
前記ユーザーは、前記プログラムおよび前記コンテンツを使用して、インターネット経由で前記第２のサーバーに格納された前記複数の提供情報から使用する提供情報を選択し、前記使用する提供情報の任意のページの全部または一部をちぎり取り、ちぎり取った前記使用する提供情報の任意のページ片をユーザー専用の別の場所に移動して貼り付ける、電子情報編集提供システム。
【請求項１３】
少なくとも文字または画像を含む電子データ化された情報を複数含むデータベースを少なくとも有するサーバーと、前記データベースへのアクセス権を有する情報提供者の情報提供装置と、前記データベースへのアクセス権を有するユーザーのクライアント装置とを備え、請求項２に記載の電子情報編集装置を実現するプログラムおよびコンテンツが、前記サーバーおよび／または前記情報提供装置に用意され、さらに前記サーバーおよび／または前記クライアント装置に用意されている電子情報編集提供システムであって、
前記サーバーの提供者は、前記データベース、前記プログラムおよび前記コンテンツへのアクセス権を前記情報提供者に許諾し、
前記情報提供者は、前記プログラムおよび前記コンテンツを使用して、インターネット経由で前記サーバーが含む複数の情報から前記情報提供者が使用する情報を選択し、前記情報提供者が使用する情報の任意のページの全部または一部をちぎり取り、前記情報提供者が使用する情報の前記ちぎり取った任意のページ片を情報提供者専用の別の場所に移動して貼り付けることにより提供情報を作成し、前記作成した提供情報を前記サーバーに格納し、前記サーバーが含む複数の情報のうちのユーザーに使用許諾する情報、前記提供情報、前記プログラムおよび前記コンテンツへのアクセス権を前記ユーザーに許諾し、
前記ユーザーは、前記プログラムおよび前記コンテンツを使用して、前記提供情報を表示させておき、インターネット経由で前記サーバーが含む複数の情報から前記ユーザーが使用する情報を選択し、前記ユーザーが使用する情報の任意のページの全部または一部をちぎり取り、前記ユーザーが使用する情報の前記ちぎり取った任意のページ片を前記提供情報の位置に移動して前記提供情報に貼り付ける、電子情報編集提供システム。
【発明の詳細な説明】
【技術分野】
【０００１】
本発明は、電子情報編集方法、電子情報編集装置、電子情報編集提供システム、および電子情報編集提供システムの編集提供方法に関する。例えば、文字や画像を含む電子データ化された情報をページ単位で画面上に表示する、電子情報編集方法、電子情報編集装置、電子情報編集提供システム、および電子情報編集提供システムの編集提供方法に関する。
【背景技術】
【０００２】
近年、パーソナルコンピュータが普及し、ユーザーは、さまざまな用途でそのパーソナルコンピュータを利用するようになってきている。そのパーソナルコンピュータの性能も年々向上しており、最近では、動画像や静止画像などの比較的重いデータも快適に扱えるようになってきている。
【０００３】
そして、電子化された文書ファイルを、ディスプレイ画面上に「本」の形状で表示し、アニメーション表示等により、あたかも実際の「本」を扱っているように見せるソフトウェアなども開発されている。
【０００４】
図２３は、特許文献１に開示されている文書ファイルの表示方法を説明する図を示している。
【０００５】
図２３の１００は、複数ページを有する文書データの、あるページがディスプレイに表示されている状態を示している。そして、１０１、１０２、１０３、１０４は、１００の表示状態から、それぞれ右矢印、左矢印、下矢印、上矢印のキーが押下されたときの表示状態を示している。１０１、１０２、１０３、１０４のそれぞれの斜線で示している部分には、次のページの該当領域のデータが表示される。
【０００６】
右矢印キーを押下した場合について説明すると、この場合、１００のようにページの全面が表示された状態の、そのページの左端を持って右側にめくっていくように表示される。つまり、１００で表示されていた右端部分から表示を消しながら、１００の状態でそのページの左側に表示されていた画像を右側に移動させていく。そして、そのめくるページの左側の紙の端の部分が右に移動するにつれて、その左端部分の右側には、次のページの画像を左側から表示させていく。
【０００７】
左矢印キー、下矢印キー、上矢印キーを押下した場合も、ページをめくる方向が異なるが、上述した右矢印を押下した場合と同様に表示を変化させることにより、各方向にページがめくれていくようにユーザーに見えるように表示させる。
【０００８】
しかし、この特許文献１に示す表示方法では、ページがめくれるように見えるというよりも、上のページが横または上下方向に移動しているように見えるので、実際に本をめくるという動作に対して違和感がある。この特許文献１の場合よりも、より実際に本をめくっているように見せる表示方法も提案されている（例えば、特許文献２参照）。
【０００９】
図２４は、特許文献２の表示方法によるディスプレイへの表示内容を説明する図である。図２４は、ディスプレイ１０５上に表示する、ページをめくる表示内容を示している。図２４は、本を開いた状態における右側のページを、左側にめくっていくアニメーション表示を行う際の、ある一時点の表示内容を示している。
【００１０】
まず、複数ページを有する文書データを、本が開かれたように表示しておく。そして、ページをめくる表示をする際には、めくられるページに表示されている画像を、ページをめくるとともに、細長くかつ曲面処理をして表示させることにより、特許文献１に比べて、実際の本のページをめくっている印象を与えるように表示できる。
【特許文献１】特開平５−９４４３８号公報
【特許文献２】特開２００４−１０４３６０号公報
【発明の開示】
【発明が解決しようとする課題】
【００１１】
しかしながら、従来の文書データを「本」のように表示する方法では、ページをめくるという動作を表現するものはあったが、「本」からページをちぎり取ってスクラップするような動作を表現するものはなかった。
【００１２】
すなわち、マウス等の入力機器で、あるページの取り込み範囲を指定して、その部分を取り込んで他のファイルのページに貼り付けるという「カット＆ペースト」のような操作で他のファイルにコピーしていくものはあったが、特許文献２でページをめくる動作を表現しているように実際に「本」を取り扱っているように見せるために、あるページをちぎり取り、そのちぎり取ったページをスクラップしていくように表現するものはなかった。
【００１３】
また、ページをめくる動作を表現している特許文献２の場合でも、横方向に直線的にページをめくる動作しか表現されていない。実際の「本」では、同じ側にページをめくる（例えば、「本」を見開いた状態の右側のページを左側にめくっていく場合）にしても、真横にめくるだけではなく、ある角度を持ってさまざまな方向にめくられるが、そのような表現はできていない。また、実際の「本」では、紙の質感（例えば、硬い紙と柔らかい紙の違い）などによってめくれ具合が異なってくるが、このようなめくれ具合の違いも表現できていない。
【００１４】
第１および第２の本発明は、電子データ化された情報を、実際の「本」を取り扱っているように表現できる電子情報編集方法、電子情報編集装置、および電子情報編集提供システム等を提供することを目的とし、「本」からページをちぎり取ってきてスクラップするような動作を表現できない、という従来の課題を解消するものである。
【００１５】
また、第３の本発明は、電子データ化された情報を、実際の「本」を取り扱っているように表現できる電子情報編集方法、電子情報編集装置、および電子情報編集提供システム等を提供することを目的とし、紙の質感を考慮した「めくる」という動作を表現できなかった、という従来の課題を解消するものである。
【課題を解決するための手段】
【００１６】
上述した課題を解決するために、第１の本発明は、
少なくとも文字または画像を含む電子データ化された情報がページ単位で使用者が見る画面上に表示されている状態で、任意のページの端部の任意の位置をつまみ位置として設定するつまみ位置設定ステップと、
前記つまみ位置が移動するに応じて前記ページが前記使用者が見るとめくれているように表示させ、第１の所定のラインで、前記めくれているページをちぎれるように表示させる表示制御ステップと、
前記めくれたページの全部または一部を前記使用者がちぎり取った後、前記使用者が前記つまみ位置をさらに別の所定の場所に移動させ、前記移動場所に前記ちぎり取ったページ片を貼り付けるページ片貼り付けステップとを備えた、電子情報編集方法である。
【００１７】
また、第２の本発明は、
少なくとも文字または画像を含む電子データ化された情報をページ単位で使用者が見る画面上に表示し、前記表示情報を表示した状態で任意のページの端部の任意の位置をつまみ位置として設定するつまみ位置設定手段と、
前記つまみ位置が移動するに応じて前記ページが前記使用者が見るとめくれているように表示させ、第１の所定のラインで、前記めくれているページをちぎれるように表示させる表示制御手段と、
前記めくれたページの全部または一部を前記使用者がちぎり取った後、前記使用者が前記つまみ位置をさらに別の所定の場所に移動させ、前記移動場所に前記ちぎり取ったページ片を貼り付けるページ片貼り付け手段とを備えた、電子情報編集装置である。
【００１８】
また、第３の本発明は、
前記表示制御手段は、
前記つまみ位置が移動した所定の位置に対応させて、前記つまみ位置の移動前の位置と移動後の位置と前記ページの形状データと材質データとに基づいて、前記ページがめくれているように表示させる際の、前記めくれたページの紙のめくれ具合から決まる第２の所定のラインを算出する、めくれライン算出手段と、
前記第１の所定のラインが前記第２の所定のラインと交差するか否かを検出する交差検出手段と、
前記第１の所定のラインと前記第２の所定のラインが交差したことを検出した際の、その交差点である境界交差点で、前記めくれたページの前記つまみ位置を含む側が前記つまみ位置を含まない側からちぎれるように表示する、ページちぎり表示手段とを有している、第２の本発明の電子情報編集装置である。
【００１９】
また、第４の本発明は、
前記第２の所定のラインは、前記めくれたページの紙が次の紙から離れる境界ラインである、第３の本発明の電子情報編集装置である。
【００２０】
また、第５の本発明は、
前記別の所定の場所において、前記ちぎり取られたページ片を、縮小または拡大して、複数のページ片を一画面中に配列できるように表示する貼り付け制御手段をさらに備えた、第２の本発明の電子情報編集装置である。
【００２１】
また、第６の本発明は、
前記情報の電子データの特定のファイルフォーマットとは異なるファイルフォーマットの電子データ化された他の情報のファイルを、前記特定のファイルフォーマットに変換するファイル形式変換手段をさらに備えた、第２の本発明の電子情報編集装置である。
【００２２】
また、第７の本発明は、
第１の本発明の電子情報編集方法の、
任意のページの端部の任意の位置をつまみ位置として設定する前記つまみ位置設定ステップ、
前記つまみ位置が移動するに応じて前記ページが前記使用者が見るとめくれているように表示させ、第１の所定のラインで、前記めくれているページをちぎれるように表示させる前記表示制御ステップ、
前記めくれたページの全部または一部を前記使用者がちぎり取った後、前記使用者が前記つまみ位置をさらに別の所定の場所に移動させ、前記移動場所に前記ちぎり取ったページ片を貼り付ける前記ページ片貼り付けステップ、を実行するためにコンピュータを機能させるためのプログラムである。
【００２３】
また、第８の本発明は、
第７の本発明のプログラムを記録した記録媒体であって、コンピュータで利用可能な記録媒体である。
【００２４】
また、第９の本発明は、
少なくとも文字または画像を含む電子データ化された情報を複数含むデータベースを少なくとも有するサーバーと、前記データベースへのアクセス権を有するユーザーのクライアント装置とを備え、第２の本発明の電子情報編集装置を実現するプログラムおよびコンテンツが、前記サーバーおよび／または前記クライアント装置に用意されている電子情報編集提供システムであって、
前記サーバーの提供者は、前記データベース、前記プログラムおよび前記コンテンツへのアクセス権を前記ユーザーに許諾し、
前記ユーザーは、前記プログラムおよび前記コンテンツを使用して、インターネット経由で前記サーバーが含む複数の情報から使用する情報を選択し、前記使用する情報の任意のページの全部または一部をちぎり取り、ちぎり取った前記任意のページ片をユーザー専用の別の場所に移動して貼り付ける、電子情報編集提供システムである。
【００２５】
また、第１０の本発明は、
少なくとも文字または画像を含む電子データ化された情報を複数含むデータベースを少なくとも有するサーバーと、前記データベースへのアクセス権を有するユーザーのクライアント装置とを備え、第２の本発明の電子情報編集装置を実現するプログラムおよびコンテンツが、前記サーバーおよび／または前記クライアント装置に用意されている電子情報編集提供システムの編集提供方法であって、
前記サーバーの提供者により、前記データベース、前記プログラムおよび前記コンテンツへのアクセス権を前記ユーザーに許諾するアクセス権許諾ステップと、
前記ユーザーが、前記プログラムおよび前記コンテンツを使用して、インターネット経由で前記サーバーが含む複数の情報から使用する情報を選択する使用情報選択ステップと、
前記ユーザーが、前記使用する情報の任意のページの全部または一部をちぎり取り、ちぎり取った前記任意のページ片をユーザー専用の別の場所に移動して貼り付けるページ片貼り付けステップとを備えた、電子情報編集提供システムの編集提供方法である。
【００２６】
また、第１１の本発明は、
少なくとも文字または画像を含む電子データ化された情報を複数含むデータベースを少なくとも有するサーバーと、前記データベースへのアクセス権を有する情報提供者の情報提供装置と、前記データベースへのアクセス権を有するユーザーのクライアント装置とを備え、第２の本発明の電子情報編集装置を実現するプログラムおよびコンテンツが、前記サーバーおよび／または前記情報提供装置に用意され、さらに前記サーバーおよび／または前記クライアント装置に用意されている電子情報編集提供システムであって、
前記サーバーの提供者は、前記データベース、前記プログラムおよび前記コンテンツへのアクセス権を前記情報提供者および前記ユーザーに許諾し、
前記情報提供者は、前記プログラムおよび前記コンテンツを使用して、インターネット経由で前記サーバーが含む複数の情報から前記情報提供者が使用する情報を選択し、前記情報提供者が使用する情報の任意のページの全部または一部をちぎり取り、前記情報提供者が使用する情報の前記ちぎり取った任意のページ片を情報提供者専用の別の場所に移動して貼り付けることにより提供情報を作成し、
前記ユーザーは、前記提供情報を取得して表示させておき、前記プログラムおよび前記コンテンツを使用して、インターネット経由で前記サーバーが有する複数の情報から前記ユーザーが使用する情報を選択し、前記ユーザーが使用する情報の任意のページの全部または一部をちぎり取り、前記ユーザーが使用する情報の前記ちぎり取った任意のページ片を前記提供情報の位置に移動して前記提供情報に貼り付けて追加する、電子情報編集提供システム。
【００２７】
また、第１２の本発明は、
少なくとも文字または画像を含む電子データ化された情報を複数含むデータベースを少なくとも有する第１のサーバーと、前記データベースへのアクセス権を有する情報提供者の情報提供装置と、前記情報提供者が作成した提供情報を格納する第２のサーバーと、前記提供情報へのアクセス権を有するユーザーのクライアント装置とを備え、第２の本発明の電子情報編集装置を実現するプログラムおよびコンテンツが、前記第１のサーバーおよび／または前記情報提供装置に用意され、さらに前記第２のサーバーおよび／または前記クライアント装置に用意されている電子情報編集提供システムであって、
前記第１のサーバーの提供者は、前記データベース、前記プログラムおよび前記コンテンツへのアクセス権を前記情報提供者に許諾し、
前記情報提供者は、前記プログラムおよび前記コンテンツを使用して、インターネット経由で前記第１のサーバーが含む複数の情報から使用する情報を選択し、前記使用する情報の任意のページの全部または一部をちぎり取り、ちぎり取った前記使用する情報の任意のページ片を情報提供者専用の別の場所に移動して貼り付けることにより複数の前記提供情報を作成し、作成した前記複数の提供情報を前記第２のサーバーに格納し、前記複数の提供情報、前記プログラムおよび前記コンテンツへのアクセス権を前記ユーザーに許諾し、
前記ユーザーは、前記プログラムおよび前記コンテンツを使用して、インターネット経由で前記第２のサーバーに格納された前記複数の提供情報から使用する提供情報を選択し、前記使用する提供情報の任意のページの全部または一部をちぎり取り、ちぎり取った前記使用する提供情報の任意のページ片をユーザー専用の別の場所に移動して貼り付ける、電子情報編集提供システムである。
【００２８】
また、第１３の本発明は、
少なくとも文字または画像を含む電子データ化された情報を複数含むデータベースを少なくとも有するサーバーと、前記データベースへのアクセス権を有する情報提供者の情報提供装置と、前記データベースへのアクセス権を有するユーザーのクライアント装置とを備え、第２の本発明の電子情報編集装置を実現するプログラムおよびコンテンツが、前記サーバーおよび／または前記情報提供装置に用意され、さらに前記サーバーおよび／または前記クライアント装置に用意されている電子情報編集提供システムであって、
前記サーバーの提供者は、前記データベース、前記プログラムおよび前記コンテンツへのアクセス権を前記情報提供者に許諾し、
前記情報提供者は、前記プログラムおよび前記コンテンツを使用して、インターネット経由で前記サーバーが含む複数の情報から前記情報提供者が使用する情報を選択し、前記情報提供者が使用する情報の任意のページの全部または一部をちぎり取り、前記情報提供者が使用する情報の前記ちぎり取った任意のページ片を情報提供者専用の別の場所に移動して貼り付けることにより提供情報を作成し、前記作成した提供情報を前記サーバーに格納し、前記サーバーが含む複数の情報のうちのユーザーに使用許諾する情報、前記提供情報、前記プログラムおよび前記コンテンツへのアクセス権を前記ユーザーに許諾し、
前記ユーザーは、前記プログラムおよび前記コンテンツを使用して、前記提供情報を表示させておき、インターネット経由で前記サーバーが含む複数の情報から前記ユーザーが使用する情報を選択し、前記ユーザーが使用する情報の任意のページの全部または一部をちぎり取り、前記ユーザーが使用する情報の前記ちぎり取った任意のページ片を前記提供情報の位置に移動して前記提供情報に貼り付ける、電子情報編集提供システムである。
【発明の効果】
【００２９】
第１および第２の本発明により、「本」からページをちぎり取ってきてスクラップするような動作を表現できるので、電子データ化された情報を、実際の「本」を取り扱っているように表現できる電子情報編集方法、電子情報編集装置、および電子情報編集提供システム等を提供できる。
【００３０】
また、第３の本発明により、紙の質感を考慮した「めくる」という動作を表現できるので、電子データ化された情報を、実際の「本」を取り扱っているように表現できる電子情報編集方法、電子情報編集装置、および電子情報編集提供システム等を提供できる。
【発明を実施するための最良の形態】
【００３１】
以下に、本発明の実施の形態について、図面を参照しながら説明する。
【００３２】
（実施の形態１）
図１は、本発明の実施の形態１の電子情報編集装置のブロック図を示している。
【００３３】
本実施の形態１の電子情報編集装置は、パソコン１０とサーバー１１を備えている。
【００３４】
サーバー１１は、電子化された情報である文書ファイルを複数含む文書ファイルデータベース１２を有している。文書ファイルデータベース１２は、文書ファイルとして、さまざまな形式のファイルを含んでいる。ＭＳ−ＷＯＲＤ（登録商標）やＭＳ−ＥＸＣＥＬ（登録商標）などのテキストベースのファイルだけではなく、ＢＭＰ形式やＪＰＥＧ形式などの静止画像ファイルや、ＭＰＥＧ形式などの動画像ファイル等、パソコン１０のディスプレイ上に表示できるさまざまな形式のファイルを含んでいる。
【００３５】
パソコン１０は、サーバー１１が有する文書ファイルデータベース１２に含まれる文書ファイルにアクセスできるように、サーバー１１と接続されている。例えば、インターネット経由やローカルＬＡＮによって、パソコン１０はサーバー１１に接続されている。
【００３６】
パソコン１０は、サーバー１１の文書ファイルデータベース１２に含まれる文書ファイルを取得する文書ファイル入力部２０を備えている。文書ファイル入力部２０は、取得した文書ファイルが本実施の形態１の電子情報編集装置で取り扱えない形式のファイルの場合には、取り扱える形式のファイルに変換する。例えば、本実施の形態１の電子情報編集装置で取り扱える形式がフラッシュ形式の場合には、取得した文書ファイルの形式がフレッシュ形式以外のときにはフラッシュ形式のファイルに変換する。
【００３７】
なお、本実施の形態１の電子情報編集装置で取り扱える形式が、本発明の特定のファイルフォーマットの一例にあたる。
【００３８】
また、パソコン１０は、文書ファイル入力部２０が取得した文書ファイルを、使用者が「本」のように見えるように、パソコン１０のディスプレイ上に表示するページ表示部２１を備えている。すなわち、ページ表示部２１は、文書ファイル入力部２０が取得した文書ファイルの内容が、「本」の各ページに記載されているように表示する。例えば、ＭＳ−ＷＯＲＤ形式のファイルの各ページの内容が、それぞれ、ディスプレイ上に表示する「本」の各ページに表示されるように表示する。
【００３９】
また、パソコン１０は、ディスプレイ上に表示した「本」のページをめくる際の、ページをつまむ位置（以降、「つまみ位置」とする）を設定するつまみ位置設定部２３を備えている。つまみ位置設定部２３は、カーソル位置入力部２２によって指定されるカーソルの位置にしたがって「つまみ位置」を設定する。カーソル位置入力部２２は、ディスプレイ上のカーソルの位置を指定できる入力手段であればよく、例えばマウスなどのポインティングデバイスや、タッチパネルディスプレイや、キーボードなどである。
【００４０】
また、パソコン１０は、つまみ位置の移動に対応させてつまんでいるページがめくれていくように表示させるために、「めくれライン」を算出するめくれライン算出部２４を備えている。ここでいう「めくれライン」とは、「本」のページをめくる際に、めくっているページと、めくっている部分から見えてくる次の紙との境界ラインのことをいう。
【００４１】
また、パソコン１０は、つまんでいるページをつまみ位置の移動に対応させてちぎれていくように表示させるかどうかを判定する、ちぎれライン交点検出部２５を備えている。「ちぎれライン」とは、つまんでいるページがつまみ位置の移動に伴ってちぎれていく部分をいい、本実施の形態１では、ページの綴じられている側の一辺である。
【００４２】
また、パソコン１０は、つまみ位置の移動に対応させて、つまんでいるページがめくれていくように表示するページめくれ表示部２６と、つまんでいるページがちぎれていくように表示するページちぎり表示部２７を備えている。また、めくれたりちぎれたりするように表示させるページの紙の形状および材質を格納しているページデータ格納部３０を備えている。
【００４３】
また、ページをちぎり取った文書ファイルとは別に、そのちぎり取ったページを貼り付けるための「本」（以降、この「本」を「マイブック」とする）を表示させておき、そのちぎり取ったページをマイブックに貼り付けるページ貼り付け部２８を備えている。また、マイブックを保存するマイブック保存部２９を備えている。
【００４４】
図２は、本実施の形態１の電子情報編集装置における、電子情報編集処理を説明する図である。また、図３は、その電子情報編集処理のフローを示している。
【００４５】
以下に、図１〜図３を用いて、本実施の形態１の電子情報編集装置における電子情報編集処理の動作について説明する。
【００４６】
図２（ａ）は、つまみ位置を設定したときの表示を、図２（ｂ）は、ページをめくっているときの表示を、図２（ｃ）は、ちぎり取ったページを移動しているときの表示を、図２（ｄ）は、ちぎり取ったページをマイブックに貼り付けたときの表示を、それぞれ示している。
【００４７】
まず、パソコン１０の文書ファイル入力部２０が、サーバー１１の文書ファイルデータベース１２から、参照する文書ファイルを読み込む（Ｓ１０１）。文書ファイルを読み込む際に、読み込んできた文書ファイルが本実施の形態１の電子情報編集装置の編集処理で取り扱えない形式の場合には、取り扱える形式のファイルに変換する。
【００４８】
ページ表示部２１は、文書ファイル入力部２０が取得した文書ファイルを、パソコン１０のディスプレイ上に表示する（Ｓ１０２）。図２（ａ）の「参照資料」と記載している部分が、この参照する文書ファイルの表示例である。図２（ａ）に示す参照資料の表示例は、何ページかめくられて見開いた状態を示している。取得した参照する文書ファイルをディスプレイ上に最初に表示する際には、例えば「本」が閉じられた状態で表示させてもよいし、１ページ目が開かれた状態で表示させてもよい。
【００４９】
また、ページ表示部２１は、参照する文書ファイルを表示するとともに、使用者用の別の文書ファイルもディスプレイ上に「本」の形状で表示する。図２（ａ）に「マイブック」と記載している部分が、この使用者用の別の文書ファイルの表示例である。
【００５０】
次に、ページをめくったりちぎったりするためにつまむ「つまみ位置」を設定する。カーソル位置入力部２２としてマウスを使用し、設定する「つまみ位置」にマウスカーソルを移動させ、マウスボタンを押すと、「つまみ位置」がつまみ位置設定部２３によって設定され、ページ表示部２１によってディスプレイ上に表示される（Ｓ１０３）。図２（ａ）は、「ＡＢＣ」と記載されたページの右上の部分が「つまみ位置」に設定された状態を示している。なお、つまみ位置設定部２３が、本発明のつまみ位置設定手段の一例にあたる。
【００５１】
そして、マウスボタンを押したままマウスを移動すると、マウスの移動に応じて「つまみ位置」を移動させ、つまんでいるページがめくれたりちぎれたりするように表示する。以下に、このように表示させる処理方法について説明する。
【００５２】
図２（ａ）の「ＡＢＣ」と記載されたページは、上辺、下辺、および右側の辺は綴じられていないので、「つまみ位置」の移動に応じてめくれていく。一方、このページの左側の辺は綴じられているので、実際の「本」でこの左側の辺の部分をめくるように「つまみ位置」を移動させると、このページは「本」からちぎれていく。本実施の形態１の電子情報編集装置では、実際の「本」を取り扱うのと同様に、この綴じられている側の辺をめくるように「つまみ位置」を移動させると、その綴じられている辺がちぎれていくように表示する。
【００５３】
本実施の形態１では、左側の綴じられた辺からちぎれていくので、この綴じられた辺を「ちぎれライン」とする。
【００５４】
マウスボタンを押したままマウスを移動させて「つまみ位置」を移動させる（Ｓ１０４）と、めくれライン算出部２４は「めくれライン」を算出する（Ｓ１０５）。「めくれライン」とは、「つまみ位置」を移動させてめくるページと、めくって見えてくる次のページとの境界ラインである。めくれライン算出部２４は、移動前の「つまみ位置」と移動後の「つまみ位置」から、この「めくれライン」を算出する。このとき、めくれライン算出部２４は、ページデータ格納部３０に格納されている、めくるページの紙の材質や形状の情報も考慮して「めくれライン」を算出する。「つまみ位置」を移動させる際に、例えば、硬く厚い紙だとしならずに板のように動いていくが、柔らかく薄い紙だとしなりながら動いていくので、「つまみ位置」を同じように移動させても、紙の材質や形状によって「めくれライン」は異なってくる。
【００５５】
なお、「ちぎれライン」が、本発明の第１の所定のラインの一例にあたり、「めくれライン」が、本発明の第２の所定のラインの一例にあたる。また、めくれライン算出部２４が、本発明のめくれライン算出手段の一例にあたる。
【００５６】
ページデータ格納部３０には、めくるページの紙の材質や形状の情報として、形状データおよび材質データが格納されている。形状データは、紙の厚さと、紙面を正面から見た形状の情報を有している。本実施の形態１においては、紙面を正面から見た形状を、一般的な「本」のページの形状である「長方形」を例に説明しているが、紙面を正面から見た形状は、「長方形」以外に、三角形やそれ以外の多角形、曲線を含む形状などであってもよい。
【００５７】
そして、ちぎれライン交点検出部２５は、めくれライン算出部２４で算出された「めくれライン」と「ちぎれライン」の交点の有無を検出する（Ｓ１０６）。なお、ちぎれライン交点検出部２５が、本発明の交差検出手段の一例にあたる。
【００５８】
「めくれライン」が「ちぎれライン」と交わるか否かを判定し（Ｓ１０７）、「ちぎれライン」と交わらない場合には、ページめくれ表示部２６によって、ページがめくれるように表示する（Ｓ１０８）。「ちぎれライン」と交わる場合には、ページちぎり表示部２７によって、ページがちぎれるように表示する（Ｓ１０９）。
【００５９】
なお、ページちぎり表示部２７が、本発明のページちぎり表示手段の一例にあたる。また、めくれライン算出部２４、ちぎれライン交点検出部２５、ページめくれ表示部２６およびページちぎり表示部２７を合わせた構成が、本発明の表示制御手段の一例にあたる。
【００６０】
「つまみ位置」が、ページがちぎり取られる位置に移動するまで、上記のＳ１０４〜Ｓ１０９の処理を繰り返す。
【００６１】
図２（ｂ）は、参照する文書ファイルの「ＡＢＣ」と記載されていたページの一部がちぎれている状態の表示例を示している。ページちぎり表示部２７は、「ちぎれライン」の端から「めくれライン」と交わる位置までをちぎれたように表示している。
【００６２】
そして、「つまみ位置」が、ページがちぎり取られる位置まで移動したと判定される（Ｓ１１０）と、その後は、「つまみ位置」の移動にしたがってちぎり取られたページが移動していくように表示する。図２（ｃ）は、ちぎり取られたページを移動している状態の表示例を示している。
【００６３】
ページ貼り付け部２８は、ちぎり取られたページがマイブック上まで移動され、マウスボタンが離されると、マイブックに、そのちぎり取られたページを追加する（Ｓ１１１）。図２（ｄ）は、ちぎり取られたページをマイブックに追加した状態の表示例を示している。なお、ページ貼り付け部２８が、本発明のページ片貼り付け手段の一例にあたる。
【００６４】
そして、マイブック保存部２９によって、参照した文書ファイルからちぎり取ったページを追加した使用者用のマイブックを保存することができる。
【００６５】
なお、Ｓ１０３の処理が、本発明のつまみ位置設定ステップの一例にあたる。また、Ｓ１０５〜Ｓ１０９の処理が、本発明の表示制御ステップの一例にあたり、Ｓ１１１の処理が、本発明のページ片貼り付けステップの一例にあたる。
【００６６】
図２では、最初の「つまみ位置」を右側のページの右上の部分として説明したが、これ以外のどの部分を「つまみ位置」に設定してもよい。
【００６７】
図４は、最初の「つまみ位置」を異ならせた場合、および「つまみ位置」を異なる位置に移動させた場合の表示例を示している。
【００６８】
図４（ａ）は、図２の場合と同様で、右側のページの右上を最初の「つまみ位置」として移動させた場合の表示例を示している。図４（ｂ）は、右側のページの綴じられていない右側の辺の中央付近を最初の「つまみ位置」として移動させた場合の表示例を、図４（ｃ）は、右側のページの上辺の中央付近を最初の「つまみ位置」として移動させた場合の表示例を、それぞれ示している。このように、「つまみ位置」をどこに設定してもよい。例えば、下辺の部分に設定してもよいし、左側のページに設定してもよい。
【００６９】
図４（ｄ）は、最初の「つまみ位置」を図４（ａ）と同じとして、図４（ａ）よりさらに移動させた状態の表示例を示している。図４（ｄ）の場合には、「めくれライン」が「ちぎれライン」と交わっているので、「ちぎれライン」のその交点までがちぎれたように表示されている。
【００７０】
次に、めくれライン算出部２４における、「めくれライン」の算出方法の詳細について説明する。
【００７１】
図５は、「めくれライン」の算出方法を説明する図である。図５は、「つまみ位置」を移動させてめくっているページの紙と、その次の紙と、視点の位置を横から見た断面の模式図である。
【００７２】
図５に示すように、めくっている紙の折れ曲がった部分と視点を延長して交わったラインが「Ａ」のラインである。図５は、真横から見た断面の模式図なので「Ａ」は点で記載されているが、実際には、めくっている紙の折れ曲がっているラインに対応して次の紙上に形成される直線である。
【００７３】
ページデータ格納部３０に格納されている、めくっている紙の材質や形状によって、折れ曲がり方が異なってくるので、めくれライン算出部２４は、その紙の材質や形状を考慮して、めくれライン「Ａ」を算出する。
【００７４】
図５の「Ｂ」は、めくっている紙と次の紙との境界ライン、すなわち次の紙から離れていく部分を示している。また、図５の「Ｃ」は、最初の「つまみ位置」と移動後の「つまみ位置」から等距離にある次の紙上の直線である。つまり、最初の「つまみ位置」と移動後の「つまみ位置」を結ぶ直線に対して、その中点を通り直角に交わる直線である。これらの、「Ｂ」または「Ｃ」のラインを算出して、所定のオフセット値を加算してめくれライン「Ａ」を算出するようにしてもよい。また、「Ｂ」または「Ｃ」のラインをそのまま「めくれライン」としてもよい。
【００７５】
なお、「Ｂ」のラインが、本発明の、めくれたページの紙が次の紙から離れる境界ラインの一例にあたる。
【００７６】
次に、「つまみ位置」を移動させてページをめくっているように表示させる際の表示方法について説明する。
【００７７】
図６（ａ）は、表示する「本」の各ページが両面印刷されている場合のページをめくる際の表示例を示し、図６（ｂ）は、各ページが片面印刷されている場合のページをめくる際の表示例を示している。めくろうとしているページには「あいうえお・・・」と記載されており、その次のページには「１２３・・・８９０」と記載され、さらにその次のページには「・・・ＩＪＫ」と記載されている。
【００７８】
図６（ａ）の場合は、両面印刷表示なので、ページめくれ表示部２６およびページちぎり表示部２７は、ページをめくる際に、めくっているページの裏面部分に、次のページの記載「１２３」を表示する。そして、めくって見えてくる次の紙上には「ＩＪＫ」を表示する。
【００７９】
一方、図６（ｂ）の場合は、片面印刷表示なので、ページめくれ表示部２６およびページちぎり表示部２７は、ページをめくる際に、めくっているページの裏面部分には何も表示せず、めくって見えてくる次の紙上には次のページの「８９０」を表示する。
【００８０】
これらの、両面印刷表示および片面印刷表示は、いずれか一方の表示で固定的に表示させるようにしてもよいが、使用者の設定によって適宜変更できるようにするのが好ましい。
【００８１】
（実施の形態２）
図７は、本発明の実施の形態２の電子情報編集装置のブロック図を示している。図１で示した実施の形態１の電子情報編集装置と同じ構成部分には、同じ符号を用いている。
【００８２】
本実施の形態２の電子情報編集装置は、パソコン１３とサーバー１１を備えている。
【００８３】
サーバー１１は、電子化された情報である文書ファイルを複数含む文書ファイルデータベース１２を有している。文書ファイルデータベース１２は、文書ファイルとして、パソコン１３のディスプレイ上に表示できるさまざまな形式のファイルを含んでいる。
【００８４】
パソコン１３は、サーバー１１が有する文書ファイルデータベース１２に含まれる文書ファイルにアクセスできるように、サーバー１１と接続されている。例えば、インターネット経由やローカルＬＡＮによって、パソコン１３はサーバー１１に接続されている。
【００８５】
パソコン１３は、サーバー１１の文書ファイルデータベース１２に含まれる文書ファイルを取得する文書ファイル入力部２０を備えている。
【００８６】
また、パソコン１３は、文書ファイル入力部２０が取得した文書ファイルを、使用者が「本」のように見えるように、パソコン１３のディスプレイ上に表示するページ表示部２１を備えている。
【００８７】
また、パソコン１３は、ディスプレイ上に表示した「本」のページをめくる際の、ページをつまむ位置（つまみ位置）を設定するつまみ位置設定部２３を備えている。つまみ位置設定部２３は、カーソル位置入力部２２によって指定されるカーソルの位置にしたがって「つまみ位置」を設定する。カーソル位置入力部２２は、ディスプレイ上のカーソルの位置を指定できる入力手段であればよい。
【００８８】
また、パソコン１３は、つまみ位置の移動に対応させてつまんでいるページがめくれていくように表示させるために、「めくれライン」を算出するめくれライン算出部２４を備えている。
【００８９】
また、パソコン１３は、ページがめくられていく際に、そこからちぎれていくように表示させる「切り取りライン」を任意の位置に設定する切り取りライン設定部３１を備えている。
【００９０】
また、パソコン１３は、つまんでいるページをつまみ位置の移動に対応させてちぎれていくように表示させるかどうかを判定する、ちぎれライン交点検出部２５を備えている。「ちぎれライン」とは、つまんでいるページがつまみ位置の移動に伴ってちぎれていく部分をいい、本実施の形態２では、ページの綴じられている側の一辺、および切り取りライン設定部３１で任意の位置に設定された「切り取りライン」である。
【００９１】
また、パソコン１３は、つまみ位置の移動に対応させて、つまんでいるページがめくれていくように表示するページめくれ表示部２６と、つまんでいるページがちぎれていくように表示するページ片ちぎり表示部３２を備えている。また、めくれたりちぎれたりするように表示させるページの紙の形状および材質を格納しているページデータ格納部３０を備えている。
【００９２】
また、ちぎり取ったページ片の大きさを縮小または拡大する、ページ片縮小・拡大部３３を備えている。
【００９３】
また、ページ片をちぎり取った文書ファイルとは別に、ページ片縮小・拡大部３３で縮小または拡大されたページ片を貼り付けるための「本」（マイブック）を表示させておき、そのちぎり取ったページ片をマイブックに貼り付けるページ片貼り付け部３４を備えている。また、マイブックを保存するマイブック保存部２９を備えている。
【００９４】
図８は、本実施の形態２の電子情報編集装置における、電子情報編集処理を説明する図である。また、図９は、その電子情報編集処理のフローを示している。
【００９５】
以下に、図７〜図９を用いて、本実施の形態２の電子情報編集装置における電子情報編集処理の動作について説明する。
【００９６】
図８（ａ）は、つまみ位置および切り取りラインを設定したときの表示を、図８（ｂ）は、ページをめくっているときの表示を、図８（ｃ）は、ちぎり取ったページ片を移動しているときの表示を、図８（ｄ）は、ちぎり取ったページ片を縮小してマイブックに貼り付けたときの表示を、それぞれ示している。
【００９７】
まず、パソコン１３の文書ファイル入力部２０が、サーバー１１の文書ファイルデータベース１２から、参照する文書ファイルを読み込む（Ｓ２０１）。文書ファイルを読み込む際に、読み込んできた文書ファイルが本実施の形態２の電子情報編集装置の編集処理で取り扱えない形式の場合には、取り扱える形式のファイルに変換する。
【００９８】
なお、本実施の形態２の電子情報編集装置で取り扱える形式が、本発明の特定のファイルフォーマットの一例にあたる。
【００９９】
ページ表示部２１は、文書ファイル入力部２０が取得した文書ファイルを、パソコン１３のディスプレイ上に表示する（Ｓ２０２）。図８（ａ）の「参照資料」と記載している部分が、この参照する文書ファイルの表示例である。
【０１００】
また、ページ表示部２１は、参照する文書ファイルを表示するとともに、図８（ａ）に「マイブック」と記載しているように、使用者用の別の文書ファイルもディスプレイ上に「本」の形状で表示する。
【０１０１】
次に、ページをめくっていく際に、ページ上の任意の位置でちぎれていくように表示させるための「切り取りライン」を設定する。ページ上の任意の２点でマウスのクリック操作をすることにより、切り取りライン設定部３１が、その２点間を結ぶ直線を「切り取りライン」に設定し、ページ表示部２１によってその「切り取りライン」をディスプレイ上に表示させる（Ｓ２０３）。
【０１０２】
次に、ページをめくったりちぎったりするためにつまむ「つまみ位置」を設定する。カーソル位置入力部２２としてマウスを使用し、設定する「つまみ位置」にマウスカーソルを移動させ、マウスボタンを押すと、「つまみ位置」がつまみ位置設定部２３によって設定され、ページ表示部２１によってディスプレイ上に表示される（Ｓ２０４）。なお、つまみ位置設定部２３が、本発明のつまみ位置設定手段の一例にあたる。
【０１０３】
図８（ａ）は、「ＡＢＣＤＥＦ」と記載されたページの右上の部分が「つまみ位置」に設定され、「ＡＢＣ」と「ＤＥＦ」の記載の間に「切り取りライン」が設定された状態を示している。
【０１０４】
そして、マウスボタンを押したままマウスを移動すると、マウスの移動に応じて「つまみ位置」を移動させ、つまんでいるページがめくれたりちぎれたりするように表示する。以下に、このように表示させる処理方法について説明する。
【０１０５】
図８（ａ）の「ＡＢＣＤＥＦ」と記載されたページは、上辺、および右側の辺は綴じられていないので、「つまみ位置」の移動に応じてめくれていく。一方、このページの左側の辺は綴じられているので、実際の「本」でこの辺の部分をめくるように「つまみ位置」を移動させると、このページは「本」からちぎれていく。また、そのページ上の「ＡＢＣ」と「ＤＥＦ」の記載の間に切り取り易くした「切り取りライン」があり、実際の「本」でその「切り取りライン」で切り取られる力が加わるように「つまみ位置」を移動させると、そのページは「切り取りライン」からちぎれていく。
【０１０６】
本実施の形態２の電子情報編集装置では、実際の「本」を取り扱うのと同様に、この綴じられている左側の辺をめくるように「つまみ位置」を移動させると、その綴じられている左側の辺がちぎれていくように表示し、「切り取りライン」で切り取られる力が加わるように「つまみ位置」を移動させると、「切り取りライン」からちぎれていくように表示する。
【０１０７】
本実施の形態２では、左側の綴じられた辺および「切り取りライン」からちぎれていくので、この綴じられた左側の辺および「切り取りライン」を「ちぎれライン」とする。
【０１０８】
マウスボタンを押したままマウスを移動させて「つまみ位置」を移動させる（Ｓ２０５）と、めくれライン算出部２４は「めくれライン」を算出する（Ｓ２０６）。「めくれライン」とは、「つまみ位置」を移動させてめくるページと、めくって見えてくる次のページとの境界ラインである。めくれライン算出部２４は、移動前の「つまみ位置」と移動後の「つまみ位置」から、この「めくれライン」を算出する。このとき、めくれライン算出部２４は、ページデータ格納部３０に格納されている、めくるページの紙の材質や形状の情報も考慮して「めくれライン」を算出する。「つまみ位置」を移動させる際に、例えば、硬く厚い紙だとしならずに板のように動いていくが、柔らかく薄い紙だとしなりながら動いていくので、「つまみ位置」を同じように移動させても、紙の材質や形状によって「めくれライン」は異なってくる。
【０１０９】
そして、ちぎれライン交点検出部２５は、めくれライン算出部２４で算出された「めくれライン」と「ちぎれライン」の交点の有無を検出する（Ｓ２０７）。
【０１１０】
なお、「ちぎれライン」が、本発明の第１の所定のラインの一例にあたり、「めくれライン」が、本発明の第２の所定のラインの一例にあたる。また、めくれライン算出部２４が、本発明のめくれライン算出手段の一例にあたり、ちぎれライン交点検出部２５が、本発明の交差検出手段の一例にあたる。
【０１１１】
「めくれライン」が「ちぎれライン」と交わるか否かを判定し（Ｓ２０８）、「ちぎれライン」と交わらない場合には、ページめくれ表示部２６によって、ページがめくれるように表示する（Ｓ２０９）。「ちぎれライン」と交わる場合には、ページ片ちぎり表示部３２によって、ページ片がちぎれるように表示する（Ｓ２１０）。
【０１１２】
なお、ページ片ちぎり表示部３２が、本発明のページちぎり表示手段の一例にあたる。また、めくれライン算出部２４、ちぎれライン交点検出部２５、ページめくれ表示部２６およびページ片ちぎり表示部３２を合わせた構成が、本発明の表示制御手段の一例にあたる。
【０１１３】
「つまみ位置」が、ページ片がちぎり取られる位置に移動するまで、上記のＳ２０５〜Ｓ２１０の処理を繰り返す。
【０１１４】
図８（ｂ）は、参照する文書ファイルの「ＡＢＣＤＥＦ」と記載されていたページの一部がちぎれている状態の表示例を示している。ページ片ちぎり表示部３２は、「ちぎれライン」の端から「めくれライン」と交わる位置までと、「切り取りライン」の端から「めくれライン」と交わる位置までの部分がちぎれたように表示している。
【０１１５】
そして、「つまみ位置」が、ページ片がちぎり取られる位置まで移動したと判定される（Ｓ２１１）と、その後は、「つまみ位置」の移動にしたがってちぎり取られたページ片が移動していくように表示する。図８（ｃ）は、ちぎり取られたページ片を移動している状態の表示例を示している。ここで、「切り取りライン」に対して「つまみ位置」側にあった「ＡＢＣ」の記載部分のみが、ページ片としてちぎり取られている。
【０１１６】
ページ片縮小・拡大部３３で、ちぎり取ったページ片を、任意のサイズに縮小または拡大する（Ｓ２１２）。そして、ページ片貼り付け部３４は、ページ片縮小・拡大部３３で縮小または拡大された後のページ片が、マイブック上まで移動されてマウスボタンが離されると、マイブックにそのページ片のイメージを追加する（Ｓ２１３）。図８（ｄ）は、ちぎり取られたページ片を縮小してマイブックに追加した状態の表示例を示している。
【０１１７】
なお、ページ片縮小・拡大部３３が、本発明の貼り付け制御手段の一例にあたり、ページ片貼り付け部３４が、本発明のページ片貼り付け手段の一例にあたる。
【０１１８】
そして、マイブック保存部２９によって、参照した文書ファイルからちぎり取ったページ片を縮小して追加した使用者用のマイブックを保存することができる。
【０１１９】
なお、Ｓ２０４の処理が、本発明のつまみ位置設定ステップの一例にあたる。また、Ｓ２０６〜Ｓ２１０の処理が、本発明の表示制御ステップの一例にあたり、Ｓ２１３の処理が、本発明のページ片貼り付けステップの一例にあたる。
【０１２０】
本実施の形態２の電子情報編集装置は、「切り取りライン」を設けたことにより、ページ上の任意の部分の情報をちぎり取り、マイブックに貼り付けることができる。すなわち、使用者が必要とするページ内の一部分のみを、参照する文書ファイルから持ってくることができる。
【０１２１】
また、本実施の形態２の電子情報編集装置は、ちぎり取ったページ片の大きさを、任意に縮小または拡大できるので、例えば、異なる文書ファイルから持ってきた異なる大きさのイメージデータを、同じような大きさに合わせて、マイブックのページ上に、自由に配置して並べることができる。
【０１２２】
図８では、「切り取りライン」をページ上に設定した真横の直線として説明したが、「切り取りライン」はページ上に任意に設定でき、どのように設定してもよい。
【０１２３】
図１０〜図１５は、さまざまな「切り取りライン」の設定例と、そのときのページをめくる際の表示例を、それぞれ示している。
【０１２４】
図１０（ａ）は、「切り取りライン」を、ページの上辺と下辺を結ぶ直線に設定した時の状態を示し、図１０（ｂ）は、ページの右上を「つまみ位置」として、「つまみ位置」を移動させたときの表示例を示している。
【０１２５】
この場合、ページの綴じられた左側の辺は、「切り取りライン」を隔てて「つまみ位置」と反対側に位置しているので、「つまみ位置」を移動しても「めくれライン」が綴じられた左側の辺に交わることがない。したがって、この場合の「ちぎれライン」は、「切り取りライン」のみということになる。そして、「つまみ位置」を移動すると、図１０（ｂ）に示すように、「切り取りライン」でちぎれていくように表示される。
【０１２６】
図１１（ａ）は、「切り取りライン」を、ページの綴じられた左側の辺と右側の辺を結ぶ直線に設定した時の状態を示し、図１１（ｂ）は、ページの右上を「つまみ位置」として、「つまみ位置」を移動させたときの表示例を示している。
【０１２７】
この場合、ページの綴じられた左側の辺の一部は、「切り取りライン」に対して「つまみ位置」と同じ側に位置しているので、「切り取りライン」および左側の辺の「切り取りライン」との交点よりも上側の部分が「ちぎれライン」となる。「つまみ位置」を移動すると、図１１（ｂ）に示すように、「切り取りライン」でちぎれていくように表示される。さらに、「めくれライン」が、綴じられた左側の辺に交わる位置まで「つまみ位置」を移動させると、左側の辺からもちぎれるように表示される。
【０１２８】
図１２（ａ）は、「切り取りライン」を、ページの上辺と右側の辺を結ぶ曲線に設定した時の状態を示し、図１２（ｂ）は、ページの右上を「つまみ位置」として、「つまみ位置」を移動させたときの表示例を示している。このように「切り取りライン」を曲線に設定する方法は、どのようにして設定してもよいが、例えば、一般的に用いられている円弧の作図方法や、フリーハンドによる曲線作図方法などを用いて設定できる。
【０１２９】
この場合、ページの綴じられた左側の辺は、「切り取りライン」を隔てて「つまみ位置」と反対側に位置しているので、「つまみ位置」を移動しても「めくれライン」が綴じられた辺に交わることがない。したがって、この場合の「ちぎれライン」は、「切り取りライン」のみということになる。そして、「つまみ位置」を移動すると、図１２（ｂ）に示すように、「切り取りライン」に沿って曲線形状にちぎれていくように表示される。さらに「つまみ位置」を移動させてページ片をちぎり取ると、そのページ片は、一辺が曲線形状のものとなる。
【０１３０】
図１３（ａ）は、「切り取りライン」を、ページの綴じられた左側の辺と右側の辺を結ぶ折れ線に設定した時の状態を示し、図１３（ｂ）は、ページの右上を「つまみ位置」として、「つまみ位置」を移動させたときの表示例を示している。
【０１３１】
この場合、ページの綴じられた左側の辺の一部は、「切り取りライン」に対して「つまみ位置」と同じ側に位置しているので、「切り取りライン」、および左側の辺の「切り取りライン」との交点よりも上側の部分が「ちぎれライン」となる。「つまみ位置」を移動すると、図１３（ｂ）に示すように、「切り取りライン」および左側の辺の「切り取りライン」との交点よりも上の部分でちぎれていくように表示される。
【０１３２】
図１４（ａ）は、「切り取りライン」を、ページの綴じられた左側の辺と右側の辺を結ぶ２本の交差しない直線に設定した時の状態を示し、図１４（ｂ）は、２本の「切り取りライン」に挟まれた部分の右上を「つまみ位置」として、「つまみ位置」を移動させたときの表示例を示している。
【０１３３】
この場合、２本の「切り取りライン」および、左側の辺のうちの２本の「切り取りライン」との２つの交点間の部分が「ちぎれライン」となる。そして、「つまみ位置」を移動すると、図１４（ｂ）に示すように、２本の「切り取りライン」に挟まれた部分がちぎれていくように表示される。
【０１３４】
図１５（ａ）は、「切り取りライン」を、ページの綴じられた左側の辺と右側の辺を結ぶ曲線に設定した時の状態を示し、図１５（ｂ）は、ページの右上を「つまみ位置」として、「つまみ位置」を移動させたときの表示例を示している。
【０１３５】
この場合、ページの綴じられた左側の辺の一部は、「切り取りライン」に対して「つまみ位置」と同じ側に位置しているので、「切り取りライン」、および左側の辺の「切り取りライン」との交点よりも上側の部分が「ちぎれライン」となる。「つまみ位置」を移動すると、図１５（ｂ）に示すように、「切り取りライン」および左側の辺の「切り取りライン」との交点よりも上の部分でちぎれていくように表示される。
【０１３６】
図１０〜図１５は、「切り取りライン」の設定の一例を示したものであり、「切り取りライン」は、これら以外にどのように設定してもよい。例えば、さらに多くの複数の直線や曲線の組み合わせで「切り取りライン」を設定してもよい。
【０１３７】
なお、各実施の形態で説明した電子情報編集装置は、パソコン１０およびパソコン１３にその機能を全て備えている構成として説明したが、パソコン１０およびパソコン１３にこれらの機能の一部のみを備えているような構成であってもよい。以下の実施例にて、そのような構成の電子情報編集装置を用いた電子情報編集提供システムについて説明する。
【実施例】
【０１３８】
以下に、本発明の電子情報編集装置を用いた電子情報編集提供システムの構成例を、図面を参照しながら説明する。
【０１３９】
（実施例１）
図１６は、本発明の電子情報編集装置を用いた、実施例１のマニュアル編集提供システムの構成図を示している。
【０１４０】
メーカーＡ、メーカーＢ、メーカーＣ、…は、ＡＶ機器、電子機器、携帯電話などの製品をユーザーに販売するメーカーである。そして、マニュアル情報提供者は、各ユーザー毎に適したマニュアルを作成して各ユーザーに提供する業者である。
【０１４１】
マニュアル情報提供者は、マニュアル編集用端末４１と、インターネット４４に接続されたマニュアル格納サーバー４２を所有している。
【０１４２】
各ユーザーは、インターネット４４に接続されたパソコン４３を所有している。
【０１４３】
マニュアル編集用端末４１およびパソコン４３は、それぞれ、電子書籍編集用プログラムを有しており、マニュアル格納サーバー４２は、電子書籍編集用コンテンツを有している。この電子書籍編集用プログラムは、フラッシュプレイヤー（登録商標）であり、電子書籍編集用コンテンツは、それぞれ、フラッシュコンテンツである。マニュアル編集用端末４１およびパソコン４３は、フラッシュプレイヤーによりマニュアル格納サーバー４２のフラッシュコンテンツを用いることで、本発明の電子情報編集装置の機能を実現できるようになっている。
【０１４４】
なお、マニュアル格納サーバー４２が、本発明のサーバーの一例にあたり、パソコン４３が、本発明のクライアント装置の一例にあたる。また、本実施例１におけるマニュアル情報提供者が、本発明のサーバーの提供者の一例にあたる。
【０１４５】
次に、本実施例１のマニュアル編集提供システムの動作について説明する。
【０１４６】
各メーカーは、自社で販売する製品のマニュアル情報を、マニュアル情報提供者に渡しておく。マニュアル情報提供者は、各メーカーから受け取ったマニュアル情報を、本システムで使用できる形式の場合には、そのままマニュアル格納サーバー４２に格納し、本システムで使用できない形式の場合には、本システムで使用できる形式に変換した後にマニュアル格納サーバー４２に格納する。ここで、各メーカーから供給されるマニュアル情報は、必ずしも電子データでなくてもよく、例えば、冊子で供給された場合には、マニュアル情報提供者は、スキャナ等で電子データに変換してマニュアル格納サーバー４２に格納する。
【０１４７】
あるメーカーの製品を購入したユーザーは、その製品について自分が使用する機能を、インターネット４４を介してパソコン４３を使用して、マニュアル情報提供者に通知する。自分が使用する機能の通知は、必ずしもインターネット４４を用いて行う必要はなく、その他の方法（電話、ＦＡＸ、郵便等）でも、自分が使用する機能をマニュアル情報提供者に伝えられればよい。
【０１４８】
ユーザーから使用する機能のリクエストを受けたマニュアル情報提供者は、本発明の電子情報編集装置を用いて、そのユーザーに提供するマニュアルファイルを作成する。
【０１４９】
マニュアル情報提供者は、マニュアル編集用端末４１を用いて、マニュアル格納サーバー４２に格納されているマニュアルファイルの中からそのユーザーが使用する製品のマニュアルを取得し、リウエストされたユーザーが使用する機能に基づいて、製品のマニュアルからそのユーザーに必要な情報のみを取り出して、そのユーザーに提供するマニュアルファイルを作成する。
【０１５０】
ここで、マニュアル格納サーバー４２から参照するために取得する製品のマニュアルファイルが、各実施の形態で説明した「参照資料」にあたり、ユーザーに提供するマニュアルファイルが、各実施の形態で説明した「マイブック」にあたる。
【０１５１】
そして、マニュアル情報提供者は、ユーザーに提供するマニュアルファイルを作成してマニュアル格納サーバー４２に格納するとともに、マニュアル格納サーバー４２に格納されている各ファイルへのアクセス権、およびフラッシュコンテンツへのアクセス権を、そのユーザーに許諾する。例えば、これらにアクセスできるＩＤおよびパスワードをそのユーザーに提示する。そのＩＤおよびパスワードは、インターネット４４を介してユーザーのパソコン４３に通知してもよいし、その他の方法でユーザーに通知するようにしてもよい。
【０１５２】
なお、マニュアル情報提供者が、上記アクセス権をユーザーに許諾する処理が、本発明のアクセス権許諾ステップの一例にあたる。
【０１５３】
アクセス権を許諾されたユーザーは、通知されたＩＤおよびパスワードをパソコン４３に入力し、インターネット４４を介して、マニュアル格納サーバー４２に格納された自分用に提供されたマニュアルファイルを取得する。
【０１５４】
また、ユーザーは、通知されたＩＤおよびパスワードをパソコン４３に入力することにより、フラッシュプレイヤーでマニュアル格納サーバー４２のフラッシュコンテンツを使用して、電子情報編集装置の機能を使用できる。
【０１５５】
ユーザーは、マニュアル情報提供者から提供された自分用のマニュアルファイルにさらに他の情報を追加したい場合には、電子情報編集装置の機能を用いて、マニュアル格納サーバー４２から製品のマニュアルを取得してきて、その中から必要な情報をちぎり取って、自分用のマニュアルファイルに貼り付けて追加する。
【０１５６】
なお、ここで、ユーザーが、マニュアル格納サーバー４２から製品のマニュアルを取得する処理が、本発明の使用情報選択ステップの一例にあたり、必要な情報を自分用のマニュアルファイルに貼り付ける処理が、本発明のページ片貼り付けステップの一例にあたる。また、この場合の、必要な情報を貼り付ける際の自分用のマニュアルファイルが、本発明の、ユーザー専用の別の場所の一例にあたる。
【０１５７】
最近では、さまざまな製品が多機能となってきており、必ずしも全てのユーザーが全ての機能を使用するのではなく、ユーザー毎に、限られたいくつかの機能だけを使用する場合も多くなってきている。そのユーザーが全く使用しない機能については、マニュアル上のその機能の記載は全く必要なく、その不要な機能の記載があるために、逆に必要とする機能の記載を探すのに時間がかかってしまう場合もある。
【０１５８】
本実施例１のマニュアル編集提供システムを用いることにより、各ユーザー毎の使用する機能のリクエストに基づいて、必要な情報だけが記載された各ユーザー用のマニュアルを提供するので、各ユーザーにとって使い易いマニュアルを提供できる。さらに、必要に応じて、各ユーザーが自分にとって必要な情報を取得して自分用のマニュアルに追加できるので、非常に有用性が高い。
【０１５９】
（実施例２）
図１７は、本発明の電子情報編集装置を用いた、実施例２の簡単マニュアル編集提供システムの構成図を示している。本実施例２の簡単マニュアル編集提供システムは、第１１の本発明の電子情報編集提供システムの一例である。
【０１６０】
サーバー提供者は、インターネット５４に接続されたサーバーを提供する業者である。
【０１６１】
簡単マニュアル提供者は、携帯電話用の簡単マニュアルを作成する業者である。簡単マニュアルとは、携帯電話の使用に際して必要な基本機能のみを記載したマニュアルである。
【０１６２】
サーバー提供者は、携帯電話用マニュアル格納サーバー５１を所有している。携帯電話用マニュアル格納サーバー５１には、各機種の携帯電話のマニュアルファイルが格納されている。
【０１６３】
簡単マニュアル提供者は、インターネット５４に接続された簡単マニュアル編集用端末５２を所有している。
【０１６４】
各ユーザーは、インターネット５４に接続されたパソコン５３を所有している。
【０１６５】
なお、簡単マニュアル提供者が、本発明の情報提供者の一例にあたり、簡単マニュアル編集用端末５２が、本発明の情報提供装置の一例にあたる。また、携帯電話用マニュアル格納サーバー５１が、本発明のサーバーの一例にあたり、パソコン５３が、本発明のクライアント装置の一例にあたる。
【０１６６】
簡単マニュアル編集用端末５２およびパソコン５３は、それぞれ、電子書籍編集用プログラムを有しており、携帯電話用マニュアル格納サーバー５１は、電子書籍編集用コンテンツを有している。この電子書籍編集用プログラムは、フラッシュプレイヤーであり、電子書籍編集用コンテンツは、フラッシュコンテンツである。簡単マニュアル編集用端末５２およびパソコン５３は、それぞれ、フラッシュプレイヤーにより携帯電話用マニュアル格納サーバー５１のフラッシュコンテンツを用いることで、本発明の電子情報編集装置の機能を実現できるようになっている。
【０１６７】
次に、本実施例２の簡単マニュアル編集提供システムの動作について説明する。
【０１６８】
サーバー提供者は、各機種の携帯電話のマニュアル情報が記載されたマニュアルファイルを、携帯電話用マニュアル格納サーバー５１に格納している。
【０１６９】
そして、サーバー提供者は、携帯電話用マニュアル格納サーバー５１に格納されている各マニュアルファイルへのアクセス権、およびフラッシュコンテンツへのアクセス権を、簡単マニュアル提供者および各ユーザーに許諾する。例えば、これらにアクセスできるＩＤおよびパスワードを、簡単マニュアル提供者および各ユーザーに提示する。そのＩＤおよびパスワードは、インターネット５４を介して、簡単マニュアル編集用端末５２や各ユーザーのパソコン５３に通知してもよいし、その他の方法で簡単マニュアル提供者および各ユーザーに通知するようにしてもよい。
【０１７０】
アクセス権を許諾されたユーザーは、自分が所有している携帯電話の使用方法等を知るために、通知されたＩＤおよびパスワードをパソコン５３に入力し、インターネット５４を介して、必要なマニュアルファイルを携帯電話用マニュアル格納サーバー５１から取得する。
【０１７１】
そして、ユーザーは、パソコン５３のフラッシュプレイヤーで、携帯電話用マニュアル格納サーバー５１のフラッシュコンテンツを使用することにより、電子情報編集装置の機能を使用し、携帯電話用マニュアル格納サーバー５１から取得したマニュアルファイルのうちの、自分にとって必要なページや必要なページ片をちぎり取ってきて、自分専用のマニュアルファイルに貼り付けていき、自分専用のマニュアルファイルを完成させる。
【０１７２】
このようにして、各ユーザーは、携帯電話用マニュアル格納サーバー５１から取得したマニュアルファイルから、各ユーザー毎に必要なページやページ片をちぎり取っていき、各ユーザー毎のマニュアルファイルを完成させていく。
【０１７３】
サーバー提供者は、各ユーザーのパソコン５３が携帯電話用マニュアル格納サーバー５１にアクセスすることにより、各ユーザーが参照したマニュアルファイルの種別および使用回数、各マニュアルファイルから各ユーザーがちぎり取ったページやページ片の各回数の情報を取得する。そして、サーバー提供者は、これらの取得した統計情報を簡単マニュアル提供者に通知する。
【０１７４】
簡単マニュアル提供者は、サーバー提供者から取得したこれらの統計情報から、携帯電話の機種毎に、どの機能についての情報を多くのユーザーが必要としているかを知ることができる。簡単マニュアル提供者は、その情報を元に、簡単マニュアルファイルを作成する。
【０１７５】
携帯電話用マニュアル格納サーバー５１へのアクセス権を許諾されている簡単マニュアル提供者は、サーバー提供者から通知されたＩＤおよびパスワードを簡単マニュアル編集用端末５２に入力し、インターネット５４を介して、必要なマニュアルファイルを携帯電話用マニュアル格納サーバー５１から取得する。
【０１７６】
そして、取得したマニュアルファイルの中から、統計情報から得られた多くのユーザーが必要とする情報のページやページ片をちぎり取ってきて、それらを貼り付けていって簡単マニュアルファイルを作成する。
【０１７７】
ここで、携帯電話用マニュアル格納サーバー５１から参照するために取得する携帯電話用のマニュアルファイルが、各実施の形態で説明した「参照資料」にあたり、作成する簡単マニュアルファイルが、各実施の形態で説明した「マイブック」にあたる。
【０１７８】
また、ここで、簡単マニュアル提供者が、取得したマニュアルファイルの必要とする情報のページやページ片を貼り付ける際の簡単マニュアルファイルが、本発明の情報者専用の別の場所の一例にあたる。また、簡単マニュアル提供者が作成する簡単マニュアルファイルが、本発明の提供情報の一例にあたる。
【０１７９】
そして、簡単マニュアル提供者は、作成した簡単マニュアルファイルを、該当する機種の携帯電話を所有しているユーザーや、その携帯電話を新しく購入したユーザーに、インターネット５４を介して配信する。簡単マニュアルファイルの配信は、例えば、ユーザーへのメールに添付したり、簡単マニュアル提供者のホームページからダウンロードさせるようにしてもよい。また、簡単マニュアルは、必ずしも電子情報で配信する必要はなく、印刷して配布するようにしてもよい。
【０１８０】
最近では、携帯電話が有する機能が多種多様になってきており、それらの機能を網羅して記載されているマニュアルは、非常に分厚いものとなってきている。しかし、ユーザーの中には、基本的な機能さえ使用できればよいユーザーも多い。そのようなユーザーにとっては、分厚いマニュアルの多くの部分が必要のない記載であり、また必要な記載を探すのにも時間がかかってしまう。
【０１８１】
このような基本的な機能だけ必要なユーザーにとっては、分厚いマニュアルよりも、基本的な機能だけが記載された数ページ程度の簡単マニュアルで十分であり、また、簡単マニュアルの方が、自分が探したい機能に関する記載もすぐに見つけることができる。また、このようなユーザー以外のユーザーでも、新しい機種の携帯電話に買い換えたような場合に、簡単マニュアルを提供することによって、新しい携帯電話の基本機能をすぐに把握することができるので、非常に有用である。
【０１８２】
（実施例３）
図１８は、本発明の電子情報編集装置を用いた、実施例３の患者向け資料編集提供システムの構成図を示している。本実施例３の患者向け資料編集提供システムは、第１２の本発明の電子情報編集提供システムの一例である。
【０１８３】
サーバー提供者は、インターネット６５に接続されたサーバーを提供する業者である。
【０１８４】
サーバー提供者は、電子ファイル格納サーバー６１を所有している。電子ファイル格納サーバー６１には、各患者のカルテおよび医療関係書籍ファイルが格納されている。
【０１８５】
病院は、インターネット６５に接続された各患者向け資料作成端末６２、および患者用ファイル格納サーバー６３を所有している。
【０１８６】
各患者は、インターネット６５に接続されたパソコン６４を所有している。
【０１８７】
なお、病院が、本発明の情報提供者の一例にあたり、各患者向け資料作成端末６２が、本発明の情報提供装置の一例にあたる。また、各患者が、本発明のユーザーの一例にあたり、パソコン６４が、本発明のクライアント装置の一例にあたる。また、電子ファイル格納サーバー６１が、本発明の第１のサーバーの一例にあたり、患者用ファイル格納サーバー６３が、本発明の第２のサーバーの一例にあたる。
【０１８８】
パソコン６４は、電子書籍編集用プログラムを有しており、患者用ファイル格納サーバー６３は、電子書籍編集用コンテンツを有している。この電子書籍編集用プログラムは、フラッシュプレイヤーであり、電子書籍編集用コンテンツは、フラッシュコンテンツである。パソコン６４は、フラッシュプレイヤーにより患者用ファイル格納サーバー６３のフラッシュコンテンツを用いることで、本発明の電子情報編集装置の機能を実現できるようになっている。また、各患者向け資料作成端末６２は、フラッシュプレイヤーおよびフラッシュコンテンツの両方を備えており、単独で本発明の電子情報編集装置の機能を実現できるようになっている。
【０１８９】
次に、本実施例３の患者向け資料編集提供システムの動作について説明する。
【０１９０】
サーバー提供者は、医療関係書籍ファイルとともに、病院から提供された各患者のカルテを、電子ファイル格納サーバー６１に格納している。
【０１９１】
そして、サーバー提供者は、電子ファイル格納サーバー６１に格納されているカルテおよび医療関係書籍ファイルへのアクセス権を、そのカルテを提供した病院にのみ許諾する。例えば、これらにアクセスできるＩＤおよびパスワードを、その病院に提示する。そのＩＤおよびパスワードは、インターネット６５を介してその病院に通知してもよいし、その他の方法でその病院に通知するようにしてもよい。
【０１９２】
電子ファイル格納サーバー６１へのアクセス権を許諾された病院の医者は、通知されたＩＤおよびパスワードを各患者向け資料作成端末６２に入力し、インターネット６５を介して、電子ファイル格納サーバー６１にアクセスする。医者は、患者毎に提供する資料を作成するために、患者向け資料を作成しようとするその患者のカルテを電子ファイル格納サーバー６１から取得する。
【０１９３】
そして、医者は、そのカルテの内容と、その患者の最近の体の状態から、その患者に提供すべき資料の内容を検討する。医者は、その検討結果に応じて、各患者向け資料作成端末６２を用いて、必要な医療関係書籍ファイルを電子ファイル格納サーバー６１から取得する。その取得したカルテおよび医療関係書籍ファイルの中から、必要なページまたはページ片をちぎり取って貼り付けていき、その患者向けの提供資料ファイルを作成する。
【０１９４】
ここで、電子ファイル格納サーバー６１から参照するために取得する医療関係書籍ファイルが、各実施の形態で説明した「参照資料」にあたり、作成するその患者向けの提供資料ファイルが、各実施の形態で説明した「マイブック」にあたる。
【０１９５】
また、ここで、医者が、取得したカルテおよび医療関係書籍ファイルの中から必要なページまたはページ片を貼り付ける際の患者向けの提供資料ファイルが、本発明の情報提供者専用の別の場所の一例にあたる。また、医者が作成した患者向けの提供資料ファイルが、本発明の提供情報の一例にあたる。
【０１９６】
医者は、各患者向けに作成した提供資料ファイルを、患者用ファイル格納サーバー６３に格納する。また、各患者が参照して有効な情報を得られる医療関係書籍ファイルも、患者用ファイル格納サーバー６３に格納しておく。
【０１９７】
そして、病院は、患者用ファイル格納サーバー６３に格納されている、その患者向け資料ファイルと、その患者が参照して有効な医療関係書籍ファイル、およびフラッシュコンテンツへのアクセス権を、各患者に許諾する。患者用ファイル格納サーバー６３に格納されているファイルのうち、各患者がアクセスできるファイルは、各患者毎に異ならせる。つまり、各患者は、患者用ファイル格納サーバー６３に格納されている全てのファイルにアクセスできるのではなく、病院が設定したファイルにのみにアクセスできるようにする。例えば、これらにアクセスできるＩＤおよびパスワードを、各患者毎に異ならせて提示する。そのＩＤおよびパスワードは、インターネット６５を介して各患者に通知してもよいし、その他の方法で各患者に通知するようにしてもよい。
【０１９８】
そして、各患者は、パソコン６４のフラッシュプレイヤーで、患者用ファイル格納サーバー６３のフラッシュコンテンツを使用することにより、電子情報編集装置の機能を使用し、各患者向け資料ファイルのうちの自分に提供された資料ファイルを取得する。各患者は、その取得した資料ファイルの内容を確認し、さらに知りたい情報を、患者用ファイル格納サーバー６３に格納されている医療関係書籍ファイルから取得する。そして、その取得した医療関係書籍ファイルの中に保存しておきたい情報があれば、そのページやページ片をちぎり取って、別に用意した自分専用のファイルに貼り付けてもよいし、自分に提供された資料ファイルに貼り付けて追加してもよい。
【０１９９】
なお、ここで、患者が、取得した医療関係書籍ファイルの中から保存しておきたいページまたはページ片を貼り付ける際の自分専用のファイルが、本発明のユーザー専用の別の場所の一例にあたる。
【０２００】
患者は、自分の症状に関する情報について詳しく知りたい場合が多いが、膨大な資料の中から自分にとって有効な情報を取得することは難しい。本実施例３の患者向け資料編集提供システムを用いることにより、医者は、患者毎に有効な資料を提供することができ、また、患者は、医者が提示してくれた自分にとって有効な医療関係書籍の中から必要な情報を探し出すので、自分にとって有効な情報を容易に探し出すことができる。
【０２０１】
また、カルテなどの秘匿性の非常に高い情報を格納している電子ファイル格納サーバー６１を、患者が参照できる患者用ファイル格納サーバー６３とは別にした構成にしているので、秘匿性が非常に高いシステムである。
【０２０２】
（実施例４）
図１９は、本発明の電子情報編集装置を用いた、実施例４の全患者向け資料編集提供システムの構成図を示している。本実施例４の全患者向け資料編集提供システムは、第１３の本発明の電子情報編集提供システムの一例である。
【０２０３】
サーバー提供者は、インターネット７４に接続されたサーバーを提供する業者である。
【０２０４】
サーバー提供者は、電子ファイル格納サーバー７１を所有している。電子ファイル格納サーバー７１には、各患者のカルテ、医療関係書籍ファイル、および各患者向け資料が格納されている。
【０２０５】
病院は、インターネット７４に接続された各患者向け資料作成端末７２を所有している。
【０２０６】
各患者は、インターネット７４に接続されたパソコン７３を所有している。
【０２０７】
なお、病院が、本発明の情報提供者の一例にあたり、各患者向け資料作成端末７２が、本発明の情報提供装置の一例にあたる。また、各患者が、本発明のユーザーの一例にあたり、パソコン７３が、本発明のクライアント装置の一例にあたる。また、電子ファイル格納サーバー７１が、本発明のサーバーの一例にあたる。
【０２０８】
各患者向け資料作成端末７２およびパソコン７３は、それぞれ、電子書籍編集用プログラムを有しており、電子ファイル格納サーバー７１は、電子書籍編集用コンテンツを有している。この電子書籍編集用プログラムは、フラッシュプレイヤーであり、電子書籍編集用コンテンツは、フラッシュコンテンツである。各患者向け資料作成端末７２およびパソコン７３は、それぞれ、フラッシュプレイヤーにより電子ファイル格納サーバー７１のフラッシュコンテンツを用いることで、本発明の電子情報編集装置の機能を実現できるようになっている。
【０２０９】
次に、本実施例４の全患者向け資料編集提供システムの動作について説明する。
【０２１０】
サーバー提供者は、医療関係書籍ファイルとともに、病院から提供された各患者のカルテを、電子ファイル格納サーバー７１に格納している。
【０２１１】
そして、サーバー提供者は、電子ファイル格納サーバー７１に格納されているカルテ、医療関係書籍ファイル、およびフラッシュコンテンツへのアクセス権を、そのカルテを提供した病院にのみ許諾する。例えば、これらにアクセスできるＩＤおよびパスワードを、その病院に提示する。そのＩＤおよびパスワードは、インターネット７４を介してその病院に通知してもよいし、その他の方法でその病院に通知するようにしてもよい。
【０２１２】
電子ファイル格納サーバー７１へのアクセス権を許諾された病院の医者は、通知されたＩＤおよびパスワードを各患者向け資料作成端末７２に入力し、インターネット７４を介して、電子ファイル格納サーバー７１にアクセスする。医者は、各患者向け資料作成端末７２のフラッシュプレイヤーで、電子ファイル格納サーバー７１のフラッシュコンテンツを使用することにより、電子情報編集装置の機能を使用し、患者毎に提供する資料を作成するために、患者向け資料を作成しようとするその患者のカルテを電子ファイル格納サーバー７１から取得する。
【０２１３】
そして、医者は、そのカルテの内容と、その患者の最近の体の状態から、その患者に提供すべき資料の内容を検討する。医者は、その検討結果に応じて、各患者向け資料作成端末７２を用いて、必要な医療関係書籍ファイルを電子ファイル格納サーバー７１から取得する。取得したカルテおよび医療関係書籍ファイルの中から、必要なページまたはページ片をちぎり取って貼り付けていき、その患者向けの提供資料ファイルを作成する。そして、その各患者向けに作成した提供資料ファイルを、電子ファイル格納サーバー７１に格納する。
【０２１４】
ここで、電子ファイル格納サーバー７１から参照するために取得する医療関係書籍ファイルが、各実施の形態で説明した「参照資料」にあたり、作成するその患者向けの提供資料ファイルが、各実施の形態で説明した「マイブック」にあたる。
【０２１５】
また、ここで、医者が、取得したカルテおよび医療関係書籍ファイルの中から必要なページまたはページ片を貼り付ける際の患者向けの提供資料ファイルが、本発明の情報提供者専用の別の場所の一例にあたる。また、医者が作成した患者向けの提供資料ファイルが、本発明の提供情報の一例にあたる。
【０２１６】
そして、病院は、電子ファイル格納サーバー７１に格納されている、医療関係書籍ファイルと、その患者向け資料ファイル、およびフラッシュコンテンツへのアクセス権を、各患者に許諾する。したがって、電子ファイル格納サーバー７１に格納されているファイルのうち、各患者がアクセスできるファイルは、各患者毎に異なることになる。例えば、これらにアクセスできるＩＤおよびパスワードを、各患者毎に異ならせて提示することに、アクセスできるファイルを異ならせる。これらのＩＤおよびパスワードは、インターネット７４を介して各患者に通知してもよいし、その他の方法で各患者に通知するようにしてもよい。
【０２１７】
そして、各患者は、パソコン７３のフラッシュプレイヤーで、電子ファイル格納サーバー７１のフラッシュコンテンツを使用することにより、電子情報編集装置の機能を使用し、各患者向け資料ファイルのうちの自分に提供された資料ファイルを取得する。各患者は、その取得した資料ファイルの内容を確認し、さらに知りたい情報を、電子ファイル格納サーバー７１に格納されている医療関係書籍ファイルから取得する。そして、その取得した医療関係書籍ファイルの中に保存しておきたい情報があれば、そのページやページ片をちぎり取って、別に用意した自分専用のファイルに貼り付けてもよいし、自分に提供された資料ファイルに貼り付けて追加してもよい。
【０２１８】
サーバー提供者は、各患者のパソコン７３から電子ファイル格納サーバー７１にアクセスすることにより、各患者が参照した医療関係書籍ファイルの種別およびアクセス回数、各医療関係書籍ファイルから各患者がちぎり取ったページやページ片の各回数の情報を取得する。そして、サーバー提供者は、これらの取得した統計情報を病院に通知する。
【０２１９】
病院は、サーバー提供者から取得したこれらの統計情報から、どの医療関係書籍ファイルのどの部分を多くの患者が参照したのかがわかるので、多くの患者が気にしていることや知りたい情報を把握することができる。病院は、その情報を元に、全患者向けの資料を作成する。
【０２２０】
病院は、各患者向け資料作成端末７２を使用して電子ファイル格納サーバー７１から必要な医療関係書籍ファイルを取得し、その取得した医療関係書籍ファイルの中から、統計情報から得られた多くの患者が知りたい情報のページやページ片をちぎり取っていき、それらを貼り付けていって全患者向け資料ファイルを作成する。このようにして、多くの患者が、気になる内容、知りたい情報を盛り込んだ全患者向け資料を作成することができる。
【０２２１】
ここでは、電子ファイル格納サーバー７１から参照するために取得する医療関係書籍ファイルが、各実施の形態で説明した「参照資料」にあたり、作成する全患者向け資料ファイルが、各実施の形態で説明した「マイブック」にあたる。
【０２２２】
そして、病院は、作成した全患者向け資料ファイルを、インターネット７４を介して全患者に配信する。また、新しく入院してくる患者にも配信する。全患者への配信は、例えば、各患者へのメールに添付したり、電子ファイル格納サーバー７１に格納して各患者にダウンロードさせるようにしてもよい。また、全患者向け資料は、必ずしも電子情報で配信する必要はなく、印刷して配布するようにしてもよい。
【０２２３】
病院に入院している患者には、医療関係について、共通して気になることや知りたい情報がある。本実施例４の患者向け資料編集提供システムを用いることにより、病院は、多くの患者が知りたい情報を把握でき、それらの情報を事前に各患者に提供することができる。
【０２２４】
（実施例５）
図２０は、本発明の電子情報編集装置を用いた、実施例５の投資家向け資料編集提供システムの構成図を示している。
【０２２５】
サーバー提供者は、インターネット８４に接続されたサーバーを提供する業者である。
【０２２６】
サーバー提供者は、電子ファイル格納サーバー８１を所有している。電子ファイル格納サーバー８１には、各会社の業績や企業情報が記載されている各会社毎の企業情報ファイルが格納されている。
【０２２７】
金融会社は、インターネット８４に接続された投資家毎資料作成端末８２を所有している。
【０２２８】
各投資家は、インターネット８４に接続されたパソコン８３を所有している。
【０２２９】
投資家毎資料作成端末８２およびパソコン８３は、それぞれ、電子書籍編集用プログラムを有しており、電子ファイル格納サーバー８１は、電子書籍編集用コンテンツを有している。この電子書籍編集用プログラムは、フラッシュプレイヤーであり、電子書籍編集用コンテンツは、フラッシュコンテンツである。投資家毎資料作成端末８２およびパソコン８３は、それぞれ、フラッシュプレイヤーにより電子ファイル格納サーバー８１のフラッシュコンテンツを用いることで、本発明の電子情報編集装置の機能を実現できるようになっている。
【０２３０】
次に、本実施例５の投資家向け資料編集提供システムの動作について説明する。
【０２３１】
サーバー提供者は、各会社毎の企業情報ファイルを電子ファイル格納サーバー８１に格納している。そして、サーバー提供者は、電子ファイル格納サーバー８１に格納されている企業情報ファイル、およびフラッシュコンテンツへのアクセス権を、金融会社および各投資家に許諾する。例えば、これらにアクセスできるＩＤおよびパスワードを、金融会社および各投資家に提示する。そのＩＤおよびパスワードは、インターネット８４を介して金融会社および各投資家に通知してもよいし、その他の方法で金融会社および各投資家に通知するようにしてもよい。
【０２３２】
一方、各投資家は、自分が興味を持っている業種や会社を、パソコン８３を用いてインターネット８４を介して金融会社に通知する。この業種や会社のリクエストは、インターネット８４を介した通知ではなく、その他の方法で金融会社に通知してもよい。
【０２３３】
投資家からの、企業情報のリクエストの通知を受けた金融会社は、投資家毎の提供資料を作成する。
【０２３４】
電子ファイル格納サーバー８１へのアクセス権を許諾された金融会社は、サーバー提供者から通知されたＩＤおよびパスワードを投資家毎資料作成端末８２に入力して、電子ファイル格納サーバー８１にアクセスする。金融会社は、投資家毎資料作成端末８２のフラッシュプレイヤーで、電子ファイル格納サーバー８１のフラッシュコンテンツを使用することにより、電子情報編集装置の機能を使用し、投資家毎に提供する資料を作成する。
【０２３５】
金融会社は、電子ファイル格納サーバー８１から、投資家からのリクエストに応じた会社の企業情報ファイルを取得する。そして、その取得した企業情報ファイルの中から、各会社の決算報告のページまたはページ片をちぎり取り、その投資家に提供する資料ファイルに貼り付けていき、その投資家への投資家毎資料ファイルを作成する。
【０２３６】
ここで、電子ファイル格納サーバー８１から参照するために取得する企業情報ファイルが、各実施の形態で説明した「参照資料」にあたり、作成する投資家毎資料ファイルが、各実施の形態で説明した「マイブック」にあたる。
【０２３７】
そして、金融会社は、作成した投資家毎資料ファイルを、インターネット８４を介してその企業情報のリクエストをした投資家に配信する。投資家への配信は、例えば、その投資家へのメールに添付したり、金融会社自身のホームページからダウンロードさせるようにしてもよい。また、投資家毎資料は、必ずしも電子情報で配信する必要はなく、印刷して配布するようにしてもよい。
【０２３８】
金融会社から、投資家毎資料ファイルを受け取った投資家は、さらにある会社の情報を詳しく知りたい場合や、投資家毎資料ファイルに含まれていない他の会社の情報を知りたいような場合には、電子ファイル格納サーバー８１にアクセスして、それらの情報を取得することができる。
【０２３９】
電子ファイル格納サーバー８１へのアクセス権を許諾された投資家は、サーバー提供者から通知されたＩＤおよびパスワードをパソコン８３に入力し、インターネット８４を介して、電子ファイル格納サーバー８１に格納されている企業情報ファイルの中から参照したい会社の企業情報ファイルを取得する。そして、その取得した企業情報ファイルの中に保存しておきたい情報があれば、そのページやページ片をちぎり取って、別に用意した自分専用のファイルに貼り付けてもよいし、自分に提供された投資家毎資料ファイルに貼り付けて追加してもよい。
【０２４０】
本実施例５の投資家向け資料編集提供システムを用いることにより、投資家は、知りたい複数の会社の情報をまとめて金融会社から入手することができ、さらに、自分が必要とする情報を自分用の投資家毎資料ファイルの任意の位置に貼り付けられるので、自分にとって見やすい資料を作成することができる。
【０２４１】
（実施例６）
図２１は、本発明の電子情報編集装置を用いた、実施例６の旅行者向け資料編集提供システムの構成図を示している。
【０２４２】
サーバー提供者は、インターネット９４に接続されたサーバーを提供する業者である。
【０２４３】
サーバー提供者は、電子ファイル格納サーバー９１を所有している。電子ファイル格納サーバー９１には、旅行会社が使用するためのツアー情報ファイルと、観光地の情報が記載されている観光地情報ファイルが格納されている。
【０２４４】
旅行会社は、インターネット９４に接続されたユーザー毎資料作成端末９２を所有している。
【０２４５】
各ユーザーは、インターネット９４に接続されたパソコン９３を所有している。
【０２４６】
ユーザー毎資料作成端末９２およびパソコン９３は、それぞれ、電子書籍編集用プログラムを有しており、電子ファイル格納サーバー９１は、電子書籍編集用コンテンツを有している。この電子書籍編集用プログラムは、フラッシュプレイヤーであり、電子書籍編集用コンテンツは、フラッシュコンテンツである。ユーザー毎資料作成端末９２およびパソコン９３は、それぞれ、フラッシュプレイヤーにより電子ファイル格納サーバー９１のフラッシュコンテンツを用いることで、本発明の電子情報編集装置の機能を実現できるようになっている。
【０２４７】
次に、本実施例６の旅行者向け資料編集提供システムの動作について説明する。
【０２４８】
サーバー提供者は、ツアー情報ファイルと観光地情報ファイルを電子ファイル格納サーバー９１に格納している。ツアー情報ファイルとは、ユーザーには見せる必要のないツアーの詳細などが記載された旅行会社が使用するためのファイルであり、観光地情報ファイルは、ユーザーも有効に使用できる内容が記載されたファイルである。
【０２４９】
そして、サーバー提供者は、電子ファイル格納サーバー９１に格納されているツアー情報ファイル、観光地情報ファイル、およびフラッシュコンテンツへのアクセス権を、旅行会社に許諾する。また、サーバー提供者は、電子ファイル格納サーバー９１に格納されている観光地情報ファイル、およびフラッシュコンテンツへのアクセス権を、各ユーザーに許諾する。つまり、各ユーザーが、電子ファイル格納サーバー９１から取得できるファイルは、観光地情報ファイルのみに制限される。例えば、これらにアクセスできるＩＤおよびパスワードを異ならせて、旅行会社および各ユーザーに提示することにより、アクセスできるファイルを異ならせる。これらのＩＤおよびパスワードは、インターネット９４を介して旅行会社および各ユーザーに通知してもよいし、その他の方法で旅行会社および各ユーザーに通知するようにしてもよい。
【０２５０】
各ユーザーは、旅行に行きたい場所や旅行先でやりたいことを、パソコン９３を用いてインターネット９４を介して旅行会社にリクエストする。このリクエストは、インターネット９４を介した通知ではなく、その他の方法で旅行会社に通知してもよい。
【０２５１】
ユーザーからのリクエストを受けた旅行会社は、そのリクエストに応じたユーザー毎のツアー資料を作成する。
【０２５２】
電子ファイル格納サーバー９１へのアクセス権を許諾された旅行会社は、サーバー提供者から通知されたＩＤおよびパスワードをユーザー毎資料作成端末９２に入力して、電子ファイル格納サーバー９１にアクセスする。旅行会社は、ユーザー毎資料作成端末９２のフラッシュプレイヤーで、電子ファイル格納サーバー９１のフラッシュコンテンツを使用することにより、電子情報編集装置の機能を使用し、ユーザー毎に提供するツアー資料を作成する。
【０２５３】
旅行会社は、ユーザーからのリクエストに応じたツアーを計画し、電子ファイル格納サーバー９１からそのツアーに必要なツアー情報ファイルを取得する。そして、その取得したツアー情報ファイルの中から、リクエストのあったユーザー向けのツアーに必要なページまたはページ片をちぎり取り、そのユーザーに提供するツアー資料ファイルに貼り付けていき、そのユーザーへのツアー資料ファイルを作成する。さらに、旅行会社は、ユーザーからのリクエストにしたがって、そのユーザーにとって有用と思われる観光地の情報を収集するために、電子ファイル格納サーバー９１から観光地情報ファイルを取得し、その取得した観光地情報ファイルの中から、必要なページまたはページ片をちぎり取り、そのユーザーに提供するツアー資料ファイルに貼り付けて追加する。
【０２５４】
ここで、電子ファイル格納サーバー９１から参照するために取得するツアー情報ファイルおよび観光地情報ファイルが、各実施の形態で説明した「参照資料」にあたり、作成するユーザー毎ツアー資料ファイルが、各実施の形態で説明した「マイブック」にあたる。
【０２５５】
そして、旅行会社は、作成したユーザー毎ツアー資料ファイルを、インターネット９４を介してそのリクエストを受けたユーザーに配信する。ユーザーへの配信は、例えば、そのユーザーへのメールに添付して送信する。また、ユーザー毎ツアー資料は、必ずしも電子情報で配信する必要はなく、印刷して配布するようにしてもよい。
【０２５６】
旅行会社から、ユーザー毎ツアー資料ファイルを受け取ったユーザーは、そのユーザー毎ツアー資料ファイルを見て、さらにその近辺の観光地の情報などを知りたいような場合には、電子ファイル格納サーバー９１にアクセスして、それらの情報を取得することができる。
【０２５７】
電子ファイル格納サーバー９１に格納されている観光地情報ファイルへのアクセス権を許諾されたユーザーは、サーバー提供者から通知されたＩＤおよびパスワードをパソコン９３に入力し、インターネット９４を介して、電子ファイル格納サーバー９１に格納されている観光地情報ファイルの中から参照したい地域の観光地情報ファイルを取得する。そして、その取得した観光地情報ファイルの中に保存しておきたい情報があれば、そのページやページ片をちぎり取って、別に用意した自分専用のファイルに貼り付けてもよいし、自分に提供されたユーザー毎ツアー資料ファイルに貼り付けて追加してもよい。
【０２５８】
また、ユーザーが、必要な情報をちぎり取って貼り付ける際に、縮小して貼り付けることにより、作成したユーザー毎ツアー資料ファイルを印刷したものを、そのまま携帯できる旅行用のハンドブックとすることができる。
【０２５９】
本実施例６の旅行者向け資料編集提供システムを用いることにより、ユーザーは、自分に提供されたツアー資料を見て、さらに知りたい情報を容易に取得することができ、また、その情報を自分用のユーザー毎ツアー資料ファイルの任意の位置に縮小して貼り付けられるので、自分にとって見やすい旅行用のハンドブックを作成することができる。
【０２６０】
（実施例７）
図２２は、本発明の電子情報編集装置を用いた、実施例７の不動産用資料編集提供システムの構成図を示している。
【０２６１】
サーバー提供者は、インターネット９９に接続されたサーバーを提供する業者である。
【０２６２】
サーバー提供者は、電子ファイル格納サーバー９６を所有している。電子ファイル格納サーバー９６には、不動産会社が使用するための不動産情報ファイルと、各地域の情報が記載されている地域情報ファイルが格納されている。
【０２６３】
不動産会社は、インターネット９９に接続されたユーザー毎資料作成端末９７を所有している。
【０２６４】
各ユーザーは、インターネット９９に接続されたパソコン９８を所有している。
【０２６５】
ユーザー毎資料作成端末９７およびパソコン９８は、それぞれ、電子書籍編集用プログラムを有しており、電子ファイル格納サーバー９６は、電子書籍編集用コンテンツを有している。この電子書籍編集用プログラムは、フラッシュプレイヤーであり、電子書籍編集用コンテンツは、フラッシュコンテンツである。ユーザー毎資料作成端末９７およびパソコン９８は、それぞれ、フラッシュプレイヤーにより電子ファイル格納サーバー９６のフラッシュコンテンツを用いることで、本発明の電子情報編集装置の機能を実現できるようになっている。
【０２６６】
次に、本実施例７の不動産用資料編集提供システムの動作について説明する。
【０２６７】
サーバー提供者は、不動産情報ファイルと地域情報ファイルを電子ファイル格納サーバー９６に格納している。不動産情報ファイルとは、不動産業者自身が使用するための不動産の詳細情報が記載されているファイルであり、地域情報ファイルは、ユーザーも有効に使用できる各地域の情報（その地域の環境や施設等の情報）が記載されたファイルである。
【０２６８】
そして、サーバー提供者は、電子ファイル格納サーバー９６に格納されている不動産情報ファイル、地域情報ファイル、およびフラッシュコンテンツへのアクセス権を、不動産会社に許諾する。また、サーバー提供者は、電子ファイル格納サーバー９６に格納されている地域情報ファイル、およびフラッシュコンテンツへのアクセス権を、各ユーザーに許諾する。つまり、各ユーザーが、電子ファイル格納サーバー９６から取得できるファイルは、地域情報ファイルのみに制限される。例えば、これらにアクセスできるＩＤおよびパスワードを異ならせて、不動産会社および各ユーザーに提示することにより、アクセスできるファイルを異ならせる。これらのＩＤおよびパスワードは、インターネット９９を介して不動産会社および各ユーザーに通知してもよいし、その他の方法で不動産会社および各ユーザーに通知するようにしてもよい。
【０２６９】
各ユーザーは、取得したい不動産の場所や条件などを、パソコン９８を用いてインターネット９９を介して不動産会社にリクエストする。このリクエストは、インターネット９９を介した通知ではなく、その他の方法で不動産会社に通知してもよい。
【０２７０】
ユーザーからのリクエストを受けた不動産会社は、そのリクエストに応じたユーザー毎の不動産資料を作成する。
【０２７１】
電子ファイル格納サーバー９６へのアクセス権を許諾された不動産会社は、サーバー提供者から通知されたＩＤおよびパスワードをユーザー毎資料作成端末９７に入力して、電子ファイル格納サーバー９６にアクセスする。不動産会社は、ユーザー毎資料作成端末９７のフラッシュプレイヤーで、電子ファイル格納サーバー９６のフラッシュコンテンツを使用することにより、電子情報編集装置の機能を使用し、ユーザー毎に提供する不動産資料を作成する。
【０２７２】
不動産会社は、ユーザーからのリクエストに応じてそのユーザーに提案する不動産を検討し、電子ファイル格納サーバー９６からその検討結果に応じた不動産に関する不動産情報ファイルを取得する。そして、その取得した不動産情報ファイルの中から、リクエストのあったユーザーに提案する不動産に必要なページまたはページ片をちぎり取り、そのユーザーに提供する不動産資料ファイルに貼り付けていき、そのユーザーへの不動産資料ファイルを作成する。さらに、不動産会社は、ユーザーからリクエストされた条件にしたがって、提案する不動産の近辺の情報を収集するために、電子ファイル格納サーバー９６から地域情報ファイルを取得し、その取得した地域情報ファイルの中から、必要なページまたはページ片をちぎり取り、そのユーザーに提供する不動産資料ファイルに貼り付けて追加する。
【０２７３】
ここで、電子ファイル格納サーバー９６から参照するために取得する不動産情報ファイルおよび地域情報ファイルが、各実施の形態で説明した「参照資料」にあたり、作成するユーザー毎不動産資料ファイルが、各実施の形態で説明した「マイブック」にあたる。
【０２７４】
そして、不動産会社は、作成したユーザー毎不動産資料ファイルを、インターネット９９を介してそのリクエストを受けたユーザーに配信する。ユーザーへの配信は、例えば、そのユーザーへのメールに添付して送信する。また、ユーザー毎不動産資料は、必ずしも電子情報で配信する必要はなく、印刷して配布するようにしてもよい。
【０２７５】
不動産会社から、ユーザー毎不動産資料ファイルを受け取ったユーザーは、そのユーザー毎不動産資料ファイルを見て、さらに気に入った不動産の近辺の詳しい情報などを知りたいような場合には、電子ファイル格納サーバー９６にアクセスして、それらの情報を取得することができる。
【０２７６】
電子ファイル格納サーバー９６に格納されている地域情報ファイルへのアクセス権を許諾されたユーザーは、サーバー提供者から通知されたＩＤおよびパスワードをパソコン９８に入力し、インターネット９９を介して、電子ファイル格納サーバー９６に格納されている地域情報ファイルの中から参照したい地域の地域情報ファイルを取得する。そして、その取得した地域情報ファイルの中に保存しておきたい情報があれば、そのページやページ片をちぎり取って、別に用意した自分専用のファイルに貼り付けてもよいし、自分に提供されたユーザー毎不動産資料ファイルに貼り付けて追加してもよい。
【０２７７】
本実施例７の不動産用資料編集提供システムを用いることにより、ユーザーは、自分に提供された不動産資料を見て、気に入った不動産があれば、さらにその不動産の近辺の詳しい情報を容易に取得することができる。
【０２７８】
なお、上述した各実施例に示す業種等は、一例として示したものであり、これらと同様の構成の電子情報編集提供システムを他の業種にも適用できる。また、各実施例に示した業種についても、説明した実施例以外の実施例の構成にしても適用できる。
【０２７９】
なお、本発明のプログラムは、上述した本発明の電子情報編集方法の、つまみ位置設定ステップ、表示制御ステップ、ページ片貼り付けステップ、の全部または一部のステップの動作をコンピュータにより実行させるためのプログラムであって、コンピュータと協働して動作するプログラムである。
【０２８０】
また、本発明の記録媒体は、上述した本発明の電子情報編集方法の、つまみ位置設定ステップ、表示制御ステップ、ページ片貼り付けステップ、の全部または一部のステップの動作をコンピュータにより実行させるためのプログラムを記録した記録媒体であり、コンピュータにより読み取り可能かつ、読み取られた前記プログラムが前記コンピュータと協動して前記動作を実行する記録媒体である。
【０２８１】
なお、本発明の上記「一部のステップ」とは、それらの複数のステップの内の、一つまたは幾つかのステップを意味する。
【０２８２】
また、本発明の上記「ステップの動作」とは、前記ステップの全部または一部の動作を意味する。
【０２８３】
また、本発明のプログラムの一利用形態は、コンピュータにより読み取り可能な記録媒体に記録され、コンピュータと協働して動作する態様であっても良い。
【０２８４】
また、記録媒体としては、ＲＯＭ等が含まれる。
【０２８５】
また、上述した本発明のコンピュータは、ＣＰＵ等の純然たるハードウェアに限らず、ファームウェアや、ＯＳ、更に周辺機器を含むものであっても良い。
【０２８６】
なお、以上説明した様に、本発明の構成は、ソフトウェア的に実現しても良いし、ハードウェア的に実現しても良い。
【産業上の利用可能性】
【０２８７】
本発明に係る電子情報編集方法、電子情報編集装置、および電子情報編集提供システムは、電子データ化された情報を、実際の「本」からページをちぎり取ってきてスクラップするような動作を表現できるという効果、および、紙の質感を考慮した「めくる」という動作を表現できるという効果を有するので、文字や画像を含む電子データ化された情報をページ単位で画面上に表示する、電子情報編集方法、電子情報編集装置、および電子情報編集提供システム等に有用である。
【図面の簡単な説明】
【０２８８】
【図１】本発明の実施の形態１の電子情報編集装置のブロック図
【図２】（ａ）本発明の実施の形態１の電子情報編集装置における電子情報編集処理を説明する図（つまみ位置を設定したときの表示）、（ｂ）本発明の実施の形態１の電子情報編集装置における電子情報編集処理を説明する図（ページをめくっているときの表示）、（ｃ）本発明の実施の形態１の電子情報編集装置における電子情報編集処理を説明する図（ちぎり取ったページを移動しているときの表示）、（ｄ）本発明の実施の形態１の電子情報編集装置における電子情報編集処理を説明する図（ちぎり取ったページをマイブックに貼り付けたときの表示）
【図３】本発明の実施の形態１の電子情報編集装置における電子情報編集処理のフロー図
【図４】（ａ）本発明の実施の形態１の電子情報編集装置において、右側のページの右上を最初の「つまみ位置」として移動させた場合の表示例を示した図、（ｂ）本発明の実施の形態１の電子情報編集装置において、右側のページの綴じられていない右側の辺の中央付近を最初の「つまみ位置」として移動させた場合の表示例を示した図、（ｃ）本発明の実施の形態１の電子情報編集装置において、右側のページの上辺の中央付近を最初の「つまみ位置」として移動させた場合の表示例を示した図、（ｄ）本発明の実施の形態１の電子情報編集装置において、図４（ａ）の「つまみ位置」をさらに移動させた状態の表示例を示した図
【図５】本発明の実施の形態１の電子情報編集装置の、「めくれライン」の算出方法を説明する図
【図６】（ａ）本発明の実施の形態１の電子情報編集装置において、両面印刷されている場合のページをめくる際の表示例を示した図、（ｂ）本発明の実施の形態１の電子情報編集装置において、片面印刷されている場合のページをめくる際の表示例を示した図
【図７】本発明の実施の形態２の電子情報編集装置のブロック図
【図８】（ａ）本発明の実施の形態２の電子情報編集装置における電子情報編集処理を説明する図（つまみ位置および切り取りラインを設定したときの表示）、（ｂ）本発明の実施の形態２の電子情報編集装置における電子情報編集処理を説明する図（ページをめくっているときの表示）、（ｃ）本発明の実施の形態２の電子情報編集装置における電子情報編集処理を説明する図（ちぎり取ったページ片を移動しているときの表示）、（ｄ）本発明の実施の形態２の電子情報編集装置における電子情報編集処理を説明する図（ちぎり取ったページ片を縮小してマイブックに貼り付けたときの表示）
【図９】本発明の実施の形態２の電子情報編集装置における電子情報編集処理のフロー図
【図１０】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１１】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１２】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１３】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１４】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１５】（ａ）本発明の実施の形態２の電子情報編集装置における「切り取りライン」の設定例を示す図、（ｂ）本発明の実施の形態２の電子情報編集装置において「つまみ位置」を移動させたときの表示例を示す図
【図１６】本発明の実施例１のマニュアル編集提供システムの構成図
【図１７】本発明の実施例２の簡単マニュアル編集提供システムの構成図
【図１８】本発明の実施例３の患者向け資料編集提供システムの構成図
【図１９】本発明の実施例４の全患者向け資料編集提供システムの構成図
【図２０】本発明の実施例５の投資家向け資料編集提供システムの構成図
【図２１】本発明の実施例６の旅行者向け資料編集提供システムの構成図
【図２２】本発明の実施例７の不動産用資料編集提供システムの構成図
【図２３】従来の文書ファイルの表示方法を説明する図
【図２４】従来の表示方法によるディスプレイへの表示内容を説明する図
【符号の説明】
【０２８９】
１０、１３  パソコン
１１  サーバー
１２  文書ファイルデータベース
２０  文書ファイル入力部
２１  ページ表示部
２２  カーソル位置入力部
２３  つまみ位置設定部
２４  めくれライン算出部
２５  ちぎれライン交点検出部
２６  ページめくれ表示部
２７  ページちぎり表示部
２８  ページ貼り付け部
２９  マイブック保存部
３０  ページデータ格納部
３１  切り取りライン設定部
３２  ページ片ちぎり表示部
３３  ページ片縮小・拡大部
３４  ページ片貼り付け部
４１  マニュアル編集用端末
４２  マニュアル格納サーバー
４３、５３、６４、７３、８３、９３、９８  パソコン
４４、５４、６５、７４、８４、９４、９９  インターネット
５１  携帯電話用マニュアル格納サーバー
５２  簡単マニュアル編集用端末
６１、７１、８１、９１、９６  電子ファイル格納サーバー
６２、７２  各患者向け資料作成端末
６３  患者用ファイル格納サーバー
８２  投資家毎資料作成端末
９２、９７  ユーザー毎資料作成端末
【図１】
2007058653.tif 000003
【図２】
2007058653.tif 000004
【図３】
2007058653.tif 000005
【図４】
2007058653.tif 000006
【図５】
2007058653.tif 000007
【図６】
2007058653.tif 000008
【図７】
2007058653.tif 000009
【図８】
2007058653.tif 000010
【図９】
2007058653.tif 000011
【図１０】
2007058653.tif 000012
【図１１】
2007058653.tif 000013
【図１２】
2007058653.tif 000014
【図１３】
2007058653.tif 000015
【図１４】
2007058653.tif 000016
【図１５】
2007058653.tif 000017
【図１６】
2007058653.tif 000018
【図１７】
2007058653.tif 000019
【図１８】
2007058653.tif 000020
【図１９】
2007058653.tif 000021
【図２０】
2007058653.tif 000022
【図２１】
2007058653.tif 000023
【図２２】
2007058653.tif 000024
【図２３】
2007058653.tif 000025
【図２４】
2007058653.tif 000026